(57)【要約】【課題】  可動体によって興趣性の高い演出を行うことが可能な遊技機を提供すること。【解決手段】  パチンコ遊技機１は、遊技者の遊技操作に対応して遊技動作を進行させるメイン処理と、所定時間毎にメイン処理を中断させて起動されることで時間経過を計時可能な割込み処理とを行うとともに、予め定められた制御条件の成立に基づいて遊技者に有利な特別遊技状態に制御されるものである。また、電圧パルス信号が個別に入力される複数の励磁コイルを備えるとともに、励磁相の切り替えに同期して駆動力を発生させることが可能な回転用モータ５１１と、設定した時間間隔で励磁相を切り替える演出制御用マイコン９１とを有している。そして、演出制御用マイコン９１は、２ｍｓｅｃ間隔と３ｍｓｅｃ間隔とで、回転用モータ５１１の励磁相を切り替えつつ、低回転状態から高回転状態に移行する。【選択図】図１８
2018057477.tif 000002
【特許請求の範囲】
【請求項１】
遊技者の遊技操作に対応して遊技動作を進行させるメイン処理と、所定時間毎にメイン処理を中断させて起動されることで時間経過を計時可能な割込み処理とを行うとともに、予め定められた制御条件の成立に基づいて遊技者に有利な特別遊技状態に制御される遊技機であって、
電圧パルス信号が個別に入力される複数の励磁コイルを備えるとともに、励磁相の切り替えに同期して駆動力を発生させることが可能な駆動部と、
設定した時間間隔で前記励磁相を切り替える切替手段と、を有し、
前記切替手段が、第１の間隔と前記第１の間隔よりも長い第２の間隔とで前記励磁相を切り替えつつ、低回転状態から高回転状態に移行するものであることを特徴とする遊技機。
【発明の詳細な説明】
【技術分野】
【０００１】
本発明は、パチンコ遊技機等に代表される遊技機に関する。
【背景技術】
【０００２】
一般的に、パチンコ遊技機には、演出用の可動体が設けられていることがある。例えば、可動体としての回転体を回転駆動することで演出を行う遊技機である。このような遊技機としては、例えば特許文献１に記載のものが挙げられる。
【０００３】
また、特許文献１に記載の遊技機では、回転体の回転駆動の駆動源に、ステッピングモータを用いている。ステッピングモータは、パルス電力に同期して回転するものである。このため、可動体の駆動源としてステッピングモータを用いた場合、可動体の移動速度は、一定周期のパルス周波数によって制御されている。
【先行技術文献】
【特許文献】
【０００４】
【特許文献１】特開２０１２−２５４１５１号公報
【発明の概要】
【発明が解決しようとする課題】
【０００５】
しかし、一定周期のパルス周波数のみを用いた制御では、可動体の移動速度が段階的に限られてしまう。このため、可動体を用いた演出の興趣性を高めることが困難であった。すなわち、可動体の移動速度は、遊技機における演出の興趣性に大きく影響する。つまり、可動体の移動速度が遅すぎても、早すぎても、興趣性が十分であるとはいえない。よって、可動体の移動速度が段階的な速度のみに限られてしまい、移動速度を微調整できない従来の遊技機においては、より興趣性を高めることが可能な余地があった。
【０００６】
本発明は上記事情に鑑みてなされたものである。すなわちその課題とするところは、可動体によって興趣性の高い演出を行うことが可能な遊技機を提供することである。
【課題を解決するための手段】
【０００７】
本発明は、上記の課題を解決するために次のような手段をとる。
【０００８】
本発明に係る遊技機は、
遊技者の遊技操作に対応して遊技動作を進行させるメイン処理と、所定時間毎にメイン処理を中断させて起動されることで時間経過を計時可能な割込み処理とを行うとともに、予め定められた制御条件の成立に基づいて遊技者に有利な特別遊技状態に制御される遊技機であって、
電圧パルス信号が個別に入力される複数の励磁コイルを備えるとともに、励磁相の切り替えに同期して駆動力を発生させることが可能な駆動部と、
設定した時間間隔で前記励磁相を切り替える切替手段と、を有し、
前記切替手段が、第１の間隔と前記第１の間隔よりも長い第２の間隔とで前記励磁相を切り替えつつ、低回転状態から高回転状態に移行するものであることを特徴とする遊技機である。
【発明の効果】
【０００９】
本発明によれば、可動体によって興趣性の高い演出を行うことが可能な遊技機が提供されている。
【図面の簡単な説明】
【００１０】
【図１】実施形態に係る遊技機の正面図である。
【図２】同遊技機が備える第２大入賞装置を詳細に示す正面図である。
【図３】図１に示すＡ部分の拡大図であり、同遊技機が備える表示器類を示す図である。
【図４】装飾可動部について説明するための図である。
【図５】同遊技機の主制御基板側の電気的な構成を示すブロック図である。
【図６】同遊技機のサブ制御基板側の電気的な構成を示すブロック図である。
【図７】装飾回転体の回転用モータを示す図である。
【図８】当たり種別判定テーブルである。
【図９】遊技制御用マイコンが取得する各種乱数を示す表である。
【図１０】（Ａ）は大当たり判定テーブルであり、（Ｂ）はリーチ判定テーブルであり、（Ｃ）は普通図柄当たり判定テーブルであり、（Ｄ）は普通図柄変動パターン選択テーブルである。
【図１１】特図変動パターン判定テーブルである。
【図１２】電チューの開放パターン決定テーブルである。
【図１３】主制御メイン処理のフローチャートである。
【図１４】メイン側タイマ割り込み処理のフローチャートである。
【図１５】サブ制御メイン処理のフローチャートである。
【図１６】受信割り込み処理のフローチャートである。
【図１７】１ｍｓタイマ割り込み処理のフローチャートである。
【図１８】駆動制御処理のフローチャートである。
【図１９】１０ｍｓタイマ割り込み処理のフローチャートである。
【図２０】受信コマンド解析処理のフローチャートである。
【図２１】変動演出開始処理のフローチャートである。
【図２２】２ｍｓｅｃ周期での励磁シーケンスを示した図である。
【図２３】３ｍｓｅｃ周期での励磁シーケンスを示した図である。
【図２４】実施形態に係る励磁シーケンスを示した図である。
【図２５】変形例に係る励磁シーケンスを示した図である。
【発明を実施するための形態】
【００１１】
１．遊技機の構造
実施形態のパチンコ遊技機について、図面に基づいて説明する。なお、以下の説明において遊技機の一例としてのパチンコ遊技機の各部の上下方向及び左右方向は、そのパチンコ遊技機に対面する遊技者にとっての上下方向及び左右方向に一致させて説明する。また、パチンコ遊技機の各部の前方向をパチンコ遊技機に対面する遊技者に近づく方向とし、パチンコ遊技機の各部の後方向をパチンコ遊技機に対面する遊技者から遠のく方向として説明する。
【００１２】
図１に示すように、実施形態のパチンコ遊技機１は、遊技機枠５０と、遊技機枠５０内に取り付けられた遊技盤２とを備えている。遊技機枠５０のうちの前面枠５１には、回転角度に応じた発射強度で遊技球を発射させるためのハンドル（発射操作部）６０、遊技球を貯留する打球供給皿（上皿）６１、及び打球供給皿６１に収容しきれない遊技球を貯留する余剰球受皿（下皿）６２が設けられている。また前面枠５１には、装飾用の枠ランプ６６、及び、音を出力するスピーカ６７が設けられている。また前面枠５１には、遊技の進行に伴って実行される演出時などに遊技者が操作し得る演出ボタン６３が設けられている。
【００１３】
遊技盤２には、ハンドル６０の操作により発射された遊技球が流下する遊技領域３が、レール部材４で囲まれて形成されている。また遊技盤２には、複数の盤ランプ（例えば左側盤ランプ８１３や右側盤ランプ８２３）が設けられている。遊技領域３には、遊技球を誘導する複数の遊技くぎが突設されている。
【００１４】
また遊技領域３の中央付近には、演出画像を表示可能な演出表示装置（演出表示手段）７が設けられている。演出表示装置７の表示画面（表示部）７ａには、後述の第１特別図柄および第２特別図柄の可変表示（変動表示）に同期した装飾図柄（演出図柄の一例）８Ｌ，８Ｃ，８Ｒの可変表示（変動表示）を行う装飾図柄表示領域がある。なお、装飾図柄８Ｌ，８Ｃ，８Ｒを表示する演出を装飾図柄変動演出という。装飾図柄変動演出を「演出図柄変動演出」や単に「変動演出」と称することもある。
【００１５】
装飾図柄表示領域は、例えば「左」「中」「右」の３つの図柄表示エリアからなる。左の図柄表示エリアには左装飾図柄８Ｌが表示され、中の図柄表示エリアには中装飾図柄８Ｃが表示され、右の図柄表示エリアには右装飾図柄８Ｒが表示される。装飾図柄はそれぞれ、例えば「１」〜「９」までの数字をあらわした複数の図柄からなる。演出表示装置７は、左、中、右の装飾図柄の組み合わせによって、後述の第１特別図柄表示器４１ａおよび第２特別図柄表示器４１ｂ（図３参照）にて表示される第１特別図柄および第２特別図柄の可変表示の結果（つまりは大当たり抽選の結果）を、わかりやすく表示する。
【００１６】
例えば大当たりに当選した場合には「７７７」などのゾロ目で装飾図柄を停止表示する。また、はずれであった場合には「６３７」などのバラケ目で装飾図柄を停止表示する。これにより、遊技者による遊技の進行状況の把握が容易となる。つまり遊技者は、一般的には大当たり抽選の結果を第１特別図柄表示器４１ａや第２特別図柄表示器４１ｂにより把握するのではなく、演出表示装置７にて把握する。なお、図柄表示エリアの位置は固定的でなくてもよい。また、装飾図柄の変動表示の態様としては、例えば上下方向にスクロールする態様がある。
【００１７】
演出表示装置７は、上記のような装飾図柄を用いた装飾図柄変動演出のほか、大当たり遊技に並行して行われる大当たり演出や、客待ち用のデモ演出（客待ち演出）などを表示画面７ａに表示する。なお装飾図柄変動演出では、数字等の装飾図柄のほか、背景画像やキャラクタ画像などの装飾図柄以外の演出画像も表示される。
【００１８】
また演出表示装置７の表示画面７ａには、後述の第１特図保留や第２特図保留の記憶数に応じて演出保留画像（第１特図保留に対応する演出保留画像９Ａ及び第２特図保留に対応する演出保留画像９Ｂ）を表示する演出保留表示エリアがある。演出保留画像の表示により、後述の第１特図保留表示器４３ａ（図３参照）にて表示される第１特図保留の記憶数や、第２特図保留表示器４３ｂにて表示される第２特図保留の記憶数を、遊技者にわかりやすく示すことができる。
【００１９】
遊技領域３の中央付近であって演出表示装置７の前方には、センター装飾体１０が配されている。センター装飾体１０の下部には、上面を転動する遊技球を、後述の第１始動口２０へと誘導可能なステージ部１１が形成されている。またセンター装飾体１０の左部には、入口から遊技球を流入させ、出口からステージ部１１へ遊技球を流出させるワープ部１２が設けられている。さらにセンター装飾体１０の上部には、文字や図形等を表した装飾部材１３が配されている。
【００２０】
遊技領域３における演出表示装置７の下方には、遊技球の入球し易さが常に変わらない第１始動口（第１入球口や、第１始動入賞口、固定入球口ともいう）２０を備える第１始動入賞装置（第１入球手段や固定入球手段ともいう）１９が設けられている。第１始動口２０への遊技球の入賞は、第１特別図柄の抽選（大当たり抽選、すなわち大当たり乱数等の取得と判定）の契機となっている。
【００２１】
またセンター装飾体１０の右下部には、第２始動口（第２入球口や、第２始動入賞口、可変入球口ともいう）２１を備える普通可変入賞装置（普通電動役物いわゆる電チュー）２２が設けられている。電チュー２２を、可変入球手段や、第２入球手段、第２始動入賞装置ともいう。第２始動口２１への遊技球の入賞は、第２特別図柄の抽選（大当たり抽選）の契機となっている。電チュー２２は、開閉部材（可動部材）２３を備え、開閉部材２３の作動によって第２始動口２１を開閉するものである。開閉部材２３は、電チューソレノイド２４（図５参照）により駆動される。開閉部材２３が開状態にあるときには、第２始動口２１への遊技球の入球が可能となり、閉状態にあるときには、第２始動口２１への遊技球の入球が不可能となる。つまり、第２始動口２１は、遊技球の入球し易さが変化可能な始動口である。なお、電チューは、開閉部材が開状態にあるときの方が閉状態にあるときよりも第２始動口への入球を容易にするものであれば、閉状態にあるときに第２始動口への入球を不可能とするものでなくてもよい。
【００２２】
また、遊技領域３における第１始動口２０の右方には、第１大入賞口（第１特別入賞口）３０を備えた第１大入賞装置（第１特別入賞手段や第１特別可変入賞装置ともいう）３１が設けられている。第１大入賞装置３１は、開状態と閉状態とをとる開閉部材（第１特別入賞口開閉部材）３２を備え、開閉部材３２の作動により第１大入賞口３０を開閉するものである。開閉部材３２は、第１大入賞口ソレノイド３３（図５参照）により駆動される。第１大入賞口３０は、開閉部材３２が開状態であるときだけ遊技球が入球可能となる。
【００２３】
また、遊技領域３における第１大入賞口３０の上方には、第２大入賞口（第２特別入賞口）３５を備えた第２大入賞装置（第２特別入賞手段や第２特別可変入賞装置ともいう）３６が設けられている。第２大入賞装置３６は、開状態と閉状態とをとる開閉部材（第２特別入賞口開閉部材）３７を備え、開閉部材３７の作動により第２大入賞口３５を開閉するものである。開閉部材３７は、第２大入賞口ソレノイド３８（図５参照）により駆動される。第２大入賞口３５は、開閉部材３７が開状態であるときだけ遊技球が入球可能となる。
【００２４】
また、図２（Ａ），（Ｂ）に示すように、第２大入賞装置３６の内部には、第２大入賞口３５を通過した遊技球が通過可能な特定領域（Ｖ領域）３９および非特定領域７０が形成されている。なお、第２大入賞装置３６において、特定領域３９および非特定領域７０の上流には、第２大入賞口３５への遊技球の入賞を検知する第２大入賞口センサ３５ａが配されている。また、特定領域３９には、特定領域３９への遊技球の通過を検知する特定領域センサ３９ａが配されている。また、非特定領域７０には、非特定領域７０への遊技球の通過を検知する非特定領域センサ７０ａが配されている。第２大入賞装置３６は、第２大入賞口３５を通過した遊技球を特定領域３９または非特定領域７０のいずれかに振り分ける振分部材７１と、振分部材７１を駆動する振分部材ソレノイド７３とを備えている。
【００２５】
図２（Ａ）は、振分部材ソレノイド７３の通電時を示している。図２（Ａ）に示すように、振分部材ソレノイド７３の通電時には、振分部材７１は特定領域３９への遊技球の通過を許容する第１状態（通過許容状態）にある。振分部材７１が第１状態にあるときは、第２大入賞口３５に入賞した遊技球は、第２大入賞口センサ３５ａを通過したあと特定領域３９を通過する。この遊技球のルートを第１のルートという。
【００２６】
図２（Ｂ）は、振分部材ソレノイド７３の非通電時を示している。図２（Ｂ）に示すように、振分部材ソレノイド７３の非通電時には、振分部材７１は特定領域３９への遊技球の通過を妨げる第２状態（通過阻止状態）にある。振分部材７１が第２状態にあるときは、第２大入賞口３５に入賞した遊技球は、第２大入賞口センサ３５ａを通過したあと非特定領域７０を通過する。この遊技球のルートを第２のルートという。
【００２７】
なお本パチンコ遊技機１では、特定領域３９への遊技球の通過が後述の高確率状態への移行の契機となっている。つまり特定領域３９は、確変作動口となっている。これに対して非特定領域７０は、確変作動口ではない。また、第１大入賞装置３１には、確変作動口としての特定領域は設けられていない。すなわち非特定領域しか設けられていない。
【００２８】
図１に戻り、センター装飾体１０の右方であって電チュー２２の上方には、遊技球が通過可能なゲート（通過口ともいう）２８が設けられている。ゲート２８への遊技球の通過は、電チュー２２を開放するか否かを決める普通図柄抽選（すなわち普通図柄乱数（当たり乱数）の取得と判定）の実行契機となっている。さらに遊技領域３の下部には、普通入賞口２７が設けられている。また遊技領域３の最下部には、遊技領域３へ打ち込まれたもののいずれの入賞口にも入賞しなかった遊技球を遊技領域３外へ排出するアウト口１６が設けられている。
【００２９】
このように各種の入賞口等が配されている遊技領域３には、左右方向の中央より左側の左遊技領域（第１遊技領域）３Ａと、右側の右遊技領域（第２遊技領域）３Ｂとがある。左遊技領域３Ａを遊技球が流下するように遊技球を発射する打方を、左打ちという。一方、右遊技領域３Ｂを遊技球が流下するように遊技球を発射する打方を、右打ちという。本形態のパチンコ遊技機１では、左打ちにて遊技したときに遊技球が流下する流路を、第１流路Ｒ１といい、右打ちにて遊技したときに遊技球が流下する流路を、第２流路Ｒ２という。
【００３０】
第１流路Ｒ１上には、第１始動口２０と、アウト口１６とが設けられている。遊技者は第１流路Ｒ１を流下するように遊技球を打ち込むことで、第１始動口２０への入賞を狙うことができる。なお、第１流路Ｒ１上にゲートは配されていない。よって、左打ちをしている場合に電チュー２２が開放されることはない。
【００３１】
一方、第２流路Ｒ２上には、ゲート２８と、電チュー２２と、第２大入賞装置３６と、第１大入賞装置３１と、アウト口１６とが設けられている。遊技者は第２流路Ｒ２を流下するように遊技球を打ち込むことで、ゲート２８への通過や、第２始動口２１、第１大入賞口３０、及び第２大入賞口３５への入賞を狙うことができる。
【００３２】
また図１に示すように、遊技盤２の右下部には表示器類４０が配置されている。表示器類４０には、図３に示すように、第１特別図柄を可変表示する第１特別図柄表示器４１ａ、第２特別図柄を可変表示する第２特別図柄表示器４１ｂ、及び、普通図柄を可変表示する普通図柄表示器４２が含まれている。また表示器類４０には、第１特別図柄表示器４１ａの作動保留（第１特図保留）の記憶数を表示する第１特図保留表示器４３ａ、第２特別図柄表示器４１ｂの作動保留（第２特図保留）の記憶数を表示する第２特図保留表示器４３ｂ、および普通図柄表示器４２の作動保留（普図保留）の記憶数を表示する普図保留表示器４４が含まれている。
【００３３】
第１特別図柄の可変表示は、第１始動口２０への遊技球の入賞を契機として行われる。第２特別図柄の可変表示は、第２始動口２１への遊技球の入賞を契機として行われる。なお以下の説明では、第１特別図柄および第２特別図柄を総称して特別図柄ということがある。また、第１特別図柄表示器４１ａおよび第２特別図柄表示器４１ｂを総称して特別図柄表示器４１ということがある。また、第１特図保留表示器４３ａおよび第２特図保留表示器４３ｂを総称して特図保留表示器４３ということがある。
【００３４】
特別図柄表示器４１では、特別図柄を可変表示（変動表示）したあと停止表示することにより、第１始動口２０又は第２始動口２１への入賞に基づく抽選（特別図柄抽選、大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた特定特別図柄（特定の停止態様の特別図柄すなわち大当たり図柄）である場合には、停止表示された特定特別図柄の種類（つまり当選した大当たりの種類）に応じた開放パターンにて大入賞口（第１大入賞口３０及び第２大入賞口３５）を開放させる大当たり遊技（特別遊技の一例）が行われる。なお、特別遊技における大入賞口の開放パターンについては後述する。
【００３５】
具体的には特別図柄表示器４１は、例えば横並びに配された８個のＬＥＤから構成されており、その点灯態様によって大当たり抽選の結果に応じた特別図柄を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。なおハズレ図柄は、特定特別図柄ではない。また、特別図柄が停止表示される前には所定の変動時間にわたって特別図柄の変動表示がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００３６】
本パチンコ遊技機１では、第１始動口２０または第２始動口２１への遊技球の入賞（入球）があると、その入賞に対して取得した大当たり乱数等の各種乱数の値（数値情報、判定用情報）は、特図保留記憶部８５（図５参照）に一旦記憶される。詳細には、第１始動口２０への入賞であれば第１特図保留として第１特図保留記憶部８５ａ（図５参照）に記憶され、第２始動口２１への入賞であれば第２特図保留として第２特図保留記憶部８５ｂ（図５参照）に記憶される。各々の特図保留記憶部８５に記憶可能な特図保留の数には上限があり、本形態における上限値はそれぞれ４個となっている。
【００３７】
特図保留記憶部８５に記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機１では、第１始動口２０または第２始動口２１への遊技球の入賞に基づく特別図柄の可変表示がその入賞後にすぐに行えない場合、すなわち特別図柄の可変表示の実行中や特別遊技の実行中に入賞があった場合であっても、所定個数を上限として、その入賞に対する大当たり抽選の権利を留保することができるようになっている。
【００３８】
そしてこのような特図保留の数は、特図保留表示器４３に表示される。具体的には特図保留表示器４３はそれぞれ、例えば４個のＬＥＤで構成されており、特図保留の数だけＬＥＤを点灯させることにより特図保留の数を表示する。
【００３９】
普通図柄の可変表示は、ゲート２８への遊技球の通過を契機として行われる。普通図柄表示器４２では、普通図柄を可変表示（変動表示）したあと停止表示することにより、ゲート２８への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（所定の停止態様の普通図柄すなわち普通当たり図柄）である場合には、現在の遊技状態に応じた開放パターンにて第２始動口２１を開放させる補助遊技が行われる。なお、第２始動口２１の開放パターンについては後述する。
【００４０】
具体的には普通図柄表示器４２は、例えば２個のＬＥＤから構成されており（図３参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。なお普通ハズレ図柄は、特定普通図柄ではない。普通図柄が停止表示される前には所定の変動時間にわたって普通図柄の変動表示がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００４１】
本パチンコ遊技機１では、ゲート２８への遊技球の通過があると、その通過に対して取得した普通図柄乱数（当たり乱数）の値は、普図保留記憶部８６（図５参照）に普図保留として一旦記憶される。普図保留記憶部８６に記憶可能な普図保留の数には上限があり、本形態における上限値は４個となっている。
【００４２】
普図保留記憶部８６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って本パチンコ遊技機１では、ゲート２８への遊技球の通過に基づく普通図柄の可変表示がその通過後にすぐに行えない場合、すなわち普通図柄の可変表示の実行中や補助遊技の実行中に入賞があった場合であっても、所定個数を上限として、その通過に対する普通図柄抽選の権利を留保することができるようになっている。
【００４３】
そしてこのような普図保留の数は、普図保留表示器４４に表示される。具体的には普図保留表示器４４は、例えば４個のＬＥＤで構成されており、普図保留の数だけＬＥＤを点灯させることにより普図保留の数を表示する。
【００４４】
また、本パチンコ遊技機１において、センター装飾体１０には、装飾可動部１５が設けられている。装飾可動部１５は、演出表示装置７よりも前方であって、装飾部材１３よりも後方に位置している。図１は、待機位置における装飾可動部１５を示しており、そのほとんどが装飾部材１３の後方に隠れている。装飾可動部１５は、可動式のいわゆるギミックである。
【００４５】
すなわち、装飾可動部１５は、図１に示す待機位置から図４に示す演出位置までの間で、図４に矢印Ｘで示す上下方向（鉛直方向）に移動することができる。図４に示すように、装飾可動部１５は、鉛直移動部５００と、鉛直移動部５００に設けられた装飾回転体５１０とを有している。また、装飾可動部１５の演出位置は、装飾回転体５１０が、演出表示装置７の表示画面７ａの中央付近に重なる位置である。つまり、演出位置は、装飾回転体５１０が最も目立つような位置である。
【００４６】
装飾可動部１５は、鉛直移動部５００および装飾回転体５１０をそれぞれ動作させるため、鉛直移動用モータ５０１および回転用モータ５１１を有している。鉛直移動用モータ５０１は、鉛直移動部５００を、待機位置から演出位置までの間で上下方向に移動させるための駆動源である。鉛直移動用モータ５０１の駆動力の伝達機構には、タイミングベルトやラック＆ピニオンなど、公知の駆動機構を採用することができる。
【００４７】
回転用モータ５１１は、装飾回転体５１０を、図４に矢印Ｙで示す向きに回転させることができる駆動源である。回転用モータ５１１の駆動力の伝達機構には、ギアなど、公知の駆動機構を採用することができる。あるいは、回転用モータ５１１は、装飾回転体５１０に直接、接続されていてもよい。そして、回転用モータ５１１は、装飾回転体５１０に、その中央を回転軸として演出表示装置７の表示画面７ａと平行な面内にて回転する回転演出を行わせることができる。
【００４８】
本形態の装飾回転体５１０は、野球のボールを模したものである。また、装飾回転体５１０は、回転演出を、演出位置において行うことができる。さらに、回転演出は、演出における重要な局面において実行される。つまり、本パチンコ遊技機１では、演出時の重要な局面において回転演出が行われることで、演出の興趣性を高めることができるようになされている。なお、本形態における重要な局面とは、大当たり抽選の結果が大当たりであることを遊技者に報知する場面のうちの１つである。このため、本パチンコ遊技機１においては、回転演出は、大当たり抽選の結果が大当たりである場合にのみ実行される。
【００４９】
また、本パチンコ遊技機１では、回転演出に合わせて、演出表示装置７の表示画面７ａに、装飾回転体５１０を中心とする放射状のエフェクト画像が表示される。これにより、回転演出中の装飾回転体５１０がより目立つようになされている。
【００５０】
２．遊技機の電気的構成
次に図５及び図６に基づいて、本パチンコ遊技機１における電気的な構成を説明する。図５及び図６に示すようにパチンコ遊技機１は、大当たり抽選や遊技状態の移行などの遊技利益に関する制御を行う主制御基板（遊技制御基板）８０、遊技の進行に伴って実行する演出に関する制御を行うサブ制御基板（演出制御基板）９０、遊技球の払い出しに関する制御を行う払出制御基板１１０等を備えている。主制御基板８０は、メイン制御部を構成し、サブ制御基板９０は、後述する画像制御基板１００、サブ駆動基板１０７、および音声制御基板１０６とともにサブ制御部９９（演出制御手段に相当）を構成する。なお、サブ制御部９９は、少なくともサブ制御基板９０を備え、演出手段（演出表示装置７、スピーカ６７、枠ランプ６６、左側盤ランプ８１３や右側盤ランプ８２３などの盤ランプ、装飾可動部１５等）を用いた遊技演出を制御可能であればよい。つまりサブ制御部９９の構成は、実行予定の演出や遊技機の製造し易さ等に応じて適宜変更可能である。
【００５１】
またパチンコ遊技機１は、電源基板１５０を備えている。電源基板１５０は、主制御基板８０、サブ制御基板９０、及び払出制御基板１１０に対して電力を供給するとともに、これらの基板を介してその他の機器に対して必要な電力を供給する。電源基板１５０には、バックアップ電源回路１５１が設けられている。バックアップ電源回路１５１は、本パチンコ遊技機１に対して電力が供給されていない場合に、後述する主制御基板８０のＲＡＭ８４やサブ制御基板９０のＲＡＭ９４に対して電力を供給する。従って、主制御基板８０のＲＡＭ８４やサブ制御基板９０のＲＡＭ９４に記憶されている情報は、パチンコ遊技機１の電断時であっても保持される。また、電源基板１５０には、電源スイッチ１５５が接続されている。電源スイッチ１５５のＯＮ／ＯＦＦ操作により、電源の投入／遮断が切り換えられる。なお、主制御基板８０のＲＡＭ８４に対するバックアップ電源回路を主制御基板８０に設けたり、サブ制御基板９０のＲＡＭ９４に対するバックアップ電源回路をサブ制御基板９０に設けたりしてもよい。
【００５２】
図５に示すように、主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ８３、ワークメモリとして使用されるＲＡＭ８４、ＲＯＭ８３に記憶されたプログラムを実行するＣＰＵ８２、データや信号の入出力を行うためのＩ／Ｏポート部（入出力回路）８７が含まれている。ＲＡＭ８４には、上述した特図保留記憶部８５（第１特図保留記憶部８５ａおよび第２特図保留記憶部８５ｂ）と普図保留記憶部８６とが設けられている。なお、ＲＯＭ８３は外付けであってもよい。
【００５３】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａ、非特定領域センサ７０ａ、および普通入賞口センサ２７ａが接続されている。
【００５４】
第１始動口センサ２０ａは、第１始動口２０内に設けられて第１始動口２０に入賞した遊技球を検出するものである。第２始動口センサ２１ａは、第２始動口２１内に設けられて第２始動口２１に入賞した遊技球を検出するものである。ゲートセンサ２８ａは、ゲート２８内に設けられてゲート２８を通過した遊技球を検出するものである。第１大入賞口センサ３０ａは、第１大入賞口３０内に設けられて第１大入賞口３０に入賞した遊技球を検出するものである。第２大入賞口センサ３５ａは、第２大入賞口３５内に設けられて第２大入賞口３５に入賞した遊技球を検出するものである。特定領域センサ３９ａは、第２大入賞口３５内の特定領域３９に設けられて特定領域３９を通過した遊技球を検出するものである。非特定領域センサ７０ａは、第２大入賞口３５内の非特定領域７０に設けられて非特定領域７０を通過した遊技球を検出するものである。普通入賞口センサ２７ａは、各普通入賞口２７内に設けられて普通入賞口２７に入賞した遊技球を検出するものである。
【００５５】
またソレノイド類としては、電チューソレノイド２４、第１大入賞口ソレノイド３３、第２大入賞口ソレノイド３８、および振分部材ソレノイド７３が接続されている。電チューソレノイド２４は、電チュー２２の開閉部材２３を駆動するものである。第１大入賞口ソレノイド３３は、第１大入賞装置３１の開閉部材３２を駆動するものである。第２大入賞口ソレノイド３８は、第２大入賞装置３６の開閉部材３７を駆動するものである。振分部材ソレノイド７３は、第２大入賞装置３６の振分部材７１を駆動するものである。
【００５６】
さらに主制御基板８０には、特別図柄表示器４１、普通図柄表示器４２、特図保留表示器４３、および普図保留表示器４４が接続されている。すなわち、これらの表示器類４０の表示制御は、遊技制御用マイコン８１によりなされる。
【００５７】
また主制御基板８０は、払出制御基板１１０に各種コマンドを送信するとともに、払い出し監視のために払出制御基板１１０から信号を受信する。払出制御基板１１０には、賞球払出装置１２０、貸球払出装置１３０およびカードユニット１３５（パチンコ遊技機１に隣接して設置され、挿入されているプリペイドカード等の情報に基づいて球貸しを可能にするもの）が接続されているとともに、発射制御回路１１１を介して発射装置１１２が接続されている。発射装置１１２には、ハンドル６０（図１参照）が含まれる。
【００５８】
払出制御基板１１０は、遊技制御用マイコン８１からの信号や、パチンコ遊技機１に接続されたカードユニット１３５からの信号に基づいて、賞球払出装置１２０の賞球モータ１２１を駆動して賞球の払い出しを行ったり、貸球払出装置１３０の球貸モータ１３１を駆動して貸球の払い出しを行ったりする。払い出される賞球は、その計数のため賞球センサ１２２により検知される。また払い出される貸球は、その計数のため球貸センサ１３２により検知される。なお遊技者による発射装置１１２のハンドル６０（図１参照）の操作があった場合には、タッチスイッチ１１４がハンドル６０への接触を検知し、発射ボリューム１１５がハンドル６０の回転量を検知する。そして、発射ボリューム１１５の検知信号の大きさに応じた強さで遊技球が発射されるよう発射モータ１１３が駆動されることとなる。なお本パチンコ遊技機１においては、０．６秒程度で一発の遊技球が発射されるようになっている。
【００５９】
また主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００６０】
図６に示すように、サブ制御基板９０には、プログラムに従ってパチンコ遊技機１の演出を制御する演出制御用ワンチップマイコン（以下「演出制御用マイコン」）９１が実装されている。演出制御用マイコン９１には、遊技の進行に伴って演出を制御するためのプログラム等を記憶したＲＯＭ９３、ワークメモリとして使用されるＲＡＭ９４、ＲＯＭ９３に記憶されたプログラムを実行するＣＰＵ９２、データや信号の入出力を行うためのＩ／Ｏポート部（入出力回路）９７が含まれている。なお、ＲＯＭ９３は外付けであってもよい。
【００６１】
サブ制御基板９０には、画像制御基板１００、音声制御基板１０６、サブ駆動基板１０７が接続されている。サブ制御基板９０の演出制御用マイコン９１は、主制御基板８０から受信したコマンドに基づいて、画像制御基板１００のＣＰＵ１０２に演出表示装置７の制御を行わせる。
【００６２】
画像制御基板１００は、画像表示等の制御のためのプログラム等を記憶したＲＯＭ１０３、ワークメモリとして使用されるＲＡＭ１０４、及び、ＲＯＭ１０３に記憶されたプログラムを実行するＣＰＵ１０２を備えている。なお、ＲＯＭ１０３には、演出表示装置７に表示される静止画データや動画データ、具体的にはキャラクタ、アイテム、図形、文字、数字および記号等（演出図柄を含む）や背景画像等の画像データが格納されている。
【００６３】
また演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭ９３に格納されている。なお、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御基板１００のＣＰＵ１０２に音声制御を実行させてもよい。さらにこの場合、画像制御基板１００のＲＯＭ１０３に音響データを格納してもよい。
【００６４】
また演出制御用マイコン９１は、主制御基板８０から受信したコマンドに基づいて、サブ駆動基板１０７を介して、枠ランプ６６や盤ランプ８１３，８２３等のランプの点灯制御を行う。詳細には演出制御用マイコン９１は、各ランプの発光態様を決める発光パターンデータ（点灯/消灯や発光色等を決めるデータ、ランプデータともいう）を作成し、発光パターンデータに従って各ランプの発光を制御する。なお、発光パターンデータの作成にはサブ制御基板９０のＲＯＭ９３に格納されているデータを用いる。
【００６５】
またサブ制御基板９０には、演出ボタン検出スイッチ（ＳＷ）６３ａ及びセレクトボタン検出スイッチ６４ａが接続されている。演出ボタン検出スイッチ６３ａは、演出ボタン６３（図１参照）が押下操作されたことを検出するものである。演出ボタン６３が押されると演出ボタン検出スイッチ６３ａからサブ制御基板９０に対して検知信号が出力される。また、セレクトボタン検出スイッチ６４ａは、セレクトボタン（図示省略）が押下操作されたことを検出するものである。セレクトボタンが押されるとセレクトボタン検出スイッチ６４ａからサブ制御基板９０に対して検知信号が出力される。なお、セレクトボタンは、上ボタン、下ボタン、左ボタン、及び右ボタンの４つのボタンからなる十字キーであり、演出ボタン６３に隣接して配されている。
【００６６】
さらに演出制御用マイコン９１は、主制御基板８０から受信したコマンドに基づいて、サブ駆動基板１０７を介して装飾可動部１５の鉛直移動用モータ５０１や回転用モータ５１１の駆動制御を行う。詳細には演出制御用マイコン９１は、装飾可動部１５の動作態様を決める動作パターンデータ（駆動データともいう）を作成し、動作パターンデータに従って装飾可動部１５の鉛直移動用モータ５０１や回転用モータ５１１の駆動制御を行う。動作パターンデータの作成にはサブ制御基板９０のＲＯＭ９３に格納されているデータを用いる。
【００６７】
本形態において、装飾可動部１５の駆動源である鉛直移動用モータ５０１および回転用モータ５１１はともに、駆動パルスに同期して回転するステッピングモータである。本形態では、鉛直移動用モータ５０１および回転用モータ５１１はともに、サブ駆動基板１０７より出力された励磁相の切り替え信号に同期して駆動力を発生させることができる。
【００６８】
図７に、本形態の回転用モータ５１１を示す。図７に示すように、回転用モータ５１１は、２相ユニポーラ駆動のものである。そして、φ１、φ２、φ３、φ４への励磁を適宜、切り替えることで、ロータを回転させることができるものである。なお、鉛直移動用モータ５０１としても、回転用モータ５１１と同種のものを用いることができる。また、本形態のサブ駆動基板１０７は、２相励磁（フルステップ駆動）により回転用モータ５１１および鉛直移動用モータ５０１を駆動する。
【００６９】
３．大当たり等の説明
本形態のパチンコ遊技機１では、大当たり抽選（特別図柄抽選）の結果として、「大当たり」と「はずれ」がある。「大当たり」のときには、特別図柄表示器４１に「大当たり図柄」が停止表示される。「はずれ」のときには、特別図柄表示器４１に「ハズレ図柄」が停止表示される。大当たりに当選すると、停止表示された特別図柄の種類（大当たりの種類）に応じた開放パターンにて、大入賞口（第１大入賞口３０および第２大入賞口３５）を開放させる「大当たり遊技」が実行される。大当たり遊技を特別遊技ともいう。
【００７０】
大当たり遊技は、本形態では、複数回のラウンド遊技（単位開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００７１】
大当たりには複数の種別がある。大当たりの種別は図８に示す通りである。図８に示すように、本形態では大きく分けて２つの種別がある。特定大当たりと通常大当たりである。特定大当たりを「Ｖロング大当たり」ともいい、通常大当たりを「Ｖショート大当たり」ともいう。「Ｖロング大当たり」は、その大当たり遊技中に特定領域３９への遊技球の通過が容易に可能な第１開放パターン（Ｖロング開放パターン）で開閉部材３２及び開閉部材３７を作動させる大当たりである。「Ｖショート大当たり」は、その大当たり遊技中に特定領域３９への遊技球の通過が不可能又は困難な第２開放パターン（Ｖショート開放パターン）で開閉部材３２及び開閉部材３７を作動させる大当たりである。
【００７２】
より具体的には、特図１の抽選（第１特別図柄の抽選）にて当選可能な「Ｖロング大当たり」は、１Ｒから８Ｒまでは第１大入賞口３０を１Ｒ当たり最大２９．５秒にわたって開放し、９Ｒから１５Ｒまでは第１大入賞口３０を１Ｒ当たり最大０．１秒にわたって開放し、１６Ｒ（最終ラウンド）では第２大入賞口３５を１Ｒ当たり最大２９．５秒にわたって開放する大当たりである。つまり、この大当たりの総ラウンド数は１６Ｒであるものの、実質的なラウンド数は９Ｒである。実質的なラウンド数とは、１ラウンド当たりの入賞上限個数（本形態では８個）まで遊技球が入賞可能なラウンド数のことである。このＶロング大当たりでは９Ｒから１５Ｒまでは、大入賞口の開放時間が極めて短く、賞球の見込めないラウンドとなっている。なお、１６Ｒでは、第２大入賞口３５内の特定領域３９への通過が容易に可能である。また、特図１の抽選によって「特定大当たり」に当選した場合には、第１特別図柄表示器４１ａに「特図１＿特定図柄」が停止表示される。
【００７３】
また、特図２の抽選（第２特別図柄の抽選）にて当選可能な「Ｖロング大当たり」は、１Ｒから１５Ｒまでは第１大入賞口３０を１Ｒ当たり最大２９．５秒にわたって開放し、１６Ｒ（最終ラウンド）では第２大入賞口３５を１Ｒ当たり最大２９．５秒にわたって開放する大当たりである。つまり、この大当たりは実質的なラウンド数も１６Ｒである。もちろん、１６Ｒでは、第２大入賞口３５内の特定領域３９への通過が容易に可能である。特図２の抽選によって「特定大当たり」に当選した場合には、第２特別図柄表示器４１ｂに「特図２＿特定図柄」が停止表示される。
【００７４】
これに対して、特図１の抽選にて当選可能な「Ｖショート大当たり」は、１Ｒから８Ｒまでは第１大入賞口３０を１Ｒ当たり最大２９．５秒にわたって開放し、９Ｒから１５Ｒまでは第１大入賞口３０を１Ｒ当たり最大０．１秒にわたって開放し、１６Ｒ（最終ラウンド）では第２大入賞口３５を１Ｒ当たり最大０．１秒にわたって開放する大当たりである。つまり、この大当たりの総ラウンド数は１６Ｒであるものの、実質的なラウンド数は８Ｒである。
【００７５】
このＶショート大当たりにおける１６Ｒでは、第２大入賞口３５の開放時間が極めて短く、第２大入賞口３５内の特定領域３９に遊技球が通過することはほぼ不可能となっている。なお、Ｖショート大当たりにおける１６Ｒでは、第２大入賞口３５の開放時間が短いことだけでなく、第２大入賞口３５の開放タイミングと振分部材７１の作動タイミング（第２状態（図２（Ｂ）参照）から第１状態（図２（Ａ）参照）に制御されるタイミング）との関係からも、特定領域３９に遊技球が通過することはほぼ不可能となっている。特図１の抽選によって「通常大当たり」に当選した場合には、第１特別図柄表示器４１ａに「特図１＿通常図柄」が停止表示される。
【００７６】
また、特図２の抽選にて当選可能な「Ｖショート大当たり」は、１Ｒから１５Ｒまでは第１大入賞口３０を１Ｒ当たり最大２９．５秒にわたって開放し、１６Ｒ（最終ラウンド）では第２大入賞口３５を１Ｒ当たり最大０．１秒にわたって開放する大当たりである。つまり、この大当たりの総ラウンド数は１６Ｒであるものの、実質的なラウンド数は１５Ｒである。もちろん、１６Ｒでは、第２大入賞口３５内の特定領域３９への通過がほぼ不可能となっている。特図２の抽選によって「通常大当たり」に当選した場合には、第２特別図柄表示器４１ｂに「特図２＿通常図柄」が停止表示される。
【００７７】
本形態のパチンコ遊技機１では、大当たり遊技中の特定領域３９への遊技球の通過に基づいて、その大当たり遊技の終了後の遊技状態を、後述の高確率状態に移行させる。従って、上記のＶロング大当たりに当選した場合には、大当たり遊技の実行中に特定領域３９へ遊技球を通過させることで、大当たり遊技後の遊技状態を高確率状態に移行させ得る。これに対して、Ｖショート大当たりに当選した場合には、その大当たり遊技の実行中に特定領域３９へ遊技球を通過させることができないため、その大当たり遊技後の遊技状態は、後述の通常確率状態（非高確率状態）となる。
【００７８】
但し、通常確率状態に制御された場合であっても、後述する時短状態には制御される。なお、この場合の時短回数は１００回に設定される。時短回数とは、時短状態における特別図柄の変動表示の上限実行回数のことである。
【００７９】
なお、図８に示すように、特図１の抽選における大当たりの振分率は、Ｖロング大当たり（特定大当たり）が５０％、Ｖショート大当たり（通常大当たり）が５０％となっている。これに対して、特図２の抽選における大当たりの振分率は、Ｖロング大当たり（特定大当たり）が８０％、Ｖショート大当たり（通常大当たり）が２０％となっている。このように本パチンコ遊技機１では、第１始動口２０に遊技球が入賞して行われる大当たり抽選（特図１の抽選）よりも、第２始動口２１に遊技球が入賞して行われる大当たり抽選（特図２の抽選）の方が、遊技者にとって有利となるように設定されている。
【００８０】
ここで本パチンコ遊技機１では、大当たりか否かの抽選は「大当たり乱数」に基づいて行われ、当選した大当たりの種別の抽選は「当たり種別乱数」に基づいて行われる。図９（Ａ）に示すように、大当たり乱数は０〜６５５３５までの範囲で値をとる。当たり種別乱数は、０〜９までの範囲で値をとる。なお、第１始動口２０又は第２始動口２１への入賞に基づいて取得される乱数には、大当たり乱数および当たり種別乱数の他に、「リーチ乱数」および「変動パターン乱数」がある。
【００８１】
リーチ乱数は、大当たり判定の結果がはずれである場合に、その結果を示す装飾図柄変動演出においてリーチを発生させるか否かを決める乱数である。リーチとは、複数の装飾図柄のうち変動表示されている装飾図柄が残り一つとなっている状態であって、変動表示されている装飾図柄がどの図柄で停止表示されるか次第で大当たり当選を示す装飾図柄の組み合わせとなる状態（例えば「７↓７」の状態）のことである。なお、リーチ状態において停止表示されている装飾図柄は、表示画面７ａ内で多少揺れているように表示されていたり、拡大と縮小を繰り返すように表示されていたりしてもよい。このリーチ乱数は、０〜２５５までの範囲で値をとる。
【００８２】
また、変動パターン乱数は、変動時間を含む変動パターンを決めるための乱数である。変動パターン乱数は、０〜９９までの範囲で値をとる。また、ゲート２８への通過に基づいて取得される乱数には、図９（Ｂ）に示す普通図柄乱数（当たり乱数）がある。普通図柄乱数は、電チュー２２を開放させる補助遊技を行うか否かの抽選（普通図柄抽選）のための乱数である。普通図柄乱数は、０〜６５５３５までの範囲で値をとる。
【００８３】
４．遊技状態の説明
次に、本形態のパチンコ遊技機１の遊技状態に関して説明する。パチンコ遊技機１の特別図柄表示器４１および普通図柄表示器４２には、それぞれ、確率変動機能と変動時間短縮機能がある。特別図柄表示器４１の確率変動機能が作動している状態を「高確率状態」といい、作動していない状態を「通常確率状態（非高確率状態）」という。高確率状態では、大当たり確率が通常確率状態よりも高くなっている。すなわち、大当たりと判定される大当たり乱数の値が通常確率状態で用いる大当たり判定テーブルよりも多い大当たり判定テーブルを用いて、大当たり判定を行う（図１０（Ａ）参照）。つまり、特別図柄表示器４１の確率変動機能が作動すると、作動していないときに比して、特別図柄表示器４１による特別図柄の可変表示の表示結果（すなわち停止図柄）が大当たり図柄となる確率が高くなる。
【００８４】
また、特別図柄表示器４１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた変動パターンテーブルを用いて、変動パターンの判定を行う（図１１参照）。つまり、特別図柄表示器４１の変動時間短縮機能が作動すると、作動していないときに比して、特別図柄の可変表示の変動時間として短い変動時間が選択されやすくなる。その結果、時短状態では、特図保留の消化のペースが速くなり、始動口への有効な入賞（特図保留として記憶され得る入賞）が発生しやすくなる。そのため、スムーズな遊技の進行のもとで大当たりを狙うことができる。
【００８５】
特別図柄表示器４１の確率変動機能と変動時間短縮機能とは同時に作動することもあるし、片方のみが作動することもある。そして、普通図柄表示器４２の確率変動機能および変動時間短縮機能は、特別図柄表示器４１の変動時間短縮機能に同期して作動するようになっている。すなわち、普通図柄表示器４２の確率変動機能および変動時間短縮機能は、時短状態において作動し、非時短状態において作動しない。よって、時短状態では、普通図柄抽選における当選確率が非時短状態よりも高くなっている。すなわち、当たりと判定される普通図柄乱数（当たり乱数）の値が非時短状態で用いる普通図柄当たり判定テーブルよりも多い普通図柄当たり判定テーブルを用いて、当たり判定（普通図柄の判定）を行う（図１０（Ｃ）参照）。つまり、普通図柄表示器４２の確率変動機能が作動すると、作動していないときに比して、普通図柄表示器４２による普通図柄の可変表示の表示結果が、普通当たり図柄となる確率が高くなる。
【００８６】
また時短状態では、普通図柄の変動時間が非時短状態よりも短くなっている。本形態では、普通図柄の変動時間は非時短状態では４秒であるが、時短状態では１秒である（図１０（Ｄ）参照）。さらに時短状態では、補助遊技における電チュー２２の開放時間が、非時短状態よりも長くなっている（図１２参照）。すなわち、電チュー２２の開放時間延長機能が作動している。加えて時短状態では、補助遊技における電チュー２２の開放回数が非時短状態よりも多くなっている（図１２参照）。すなわち、電チュー２２の開放回数増加機能が作動している。
【００８７】
普通図柄表示器４２の確率変動機能と変動時間短縮機能、および電チュー２２の開放時間延長機能と開放回数増加機能が作動している状況下では、これらの機能が作動していない場合に比して、電チュー２２が頻繁に開放され、第２始動口２１へ遊技球が頻繁に入賞することとなる。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当たりを狙うことができる。なお、高ベース状態とは、いわゆる電サポ制御（電チュー２２により第２始動口２１への入賞をサポートする制御）が実行されている状態である。よって、高ベース状態を電サポ制御状態や入球容易状態ともいう。これに対して、低ベース状態を非電サポ制御状態や非入球容易状態ともいう。
【００８８】
高ベース状態は、上記の全ての機能が作動するものでなくてもよい。すなわち、普通図柄表示器４２の確率変動機能、普通図柄表示器４２の変動時間短縮機能、電チュー２２の開放時間延長機能、および電チュー２２の開放回数増加機能のうち一つ以上の機能の作動によって、その機能が作動していないときよりも電チュー２２が開放され易くなっていればよい。また、高ベース状態は、時短状態に付随せずに独立して制御されるようにしてもよい。
【００８９】
本形態のパチンコ遊技機１では、Ｖロング大当たりへの当選による大当たり遊技後の遊技状態は、その大当たり遊技中に特定領域３９への通過がなされていれば、高確率状態かつ時短状態かつ高ベース状態である。この遊技状態を特に、「高確高ベース状態」という。高確高ベース状態は、所定回数（本形態では１６０回）の特別図柄の可変表示が実行されるか、又は、大当たりに当選してその大当たり遊技が実行されることにより終了する。
【００９０】
また、Ｖショート大当たりへの当選による大当たり遊技後の遊技状態は、その大当たり遊技中に特定領域３９の通過がなされていなければ（なされることは略ない）、通常確率状態（非高確率状態すなわち低確率の状態）かつ時短状態かつ高ベース状態である。この遊技状態を特に、「低確高ベース状態」という。低確高ベース状態は、所定回数（本形態では１００回）の特別図柄の可変表示が実行されるか、又は、大当たりに当選してその大当たり遊技が実行されることにより終了する。
【００９１】
なお、パチンコ遊技機１を初めて遊技する場合において電源投入後の遊技状態は、通常確率状態かつ非時短状態かつ低ベース状態である。この遊技状態を特に、「低確低ベース状態」という。低確低ベース状態を「通常遊技状態」と称することもある。また、特別遊技（大当たり遊技）の実行中の状態を「特別遊技状態（大当たり遊技状態）」と称することとする。さらに、高確率状態および高ベース状態のうち少なくとも一方の状態に制御されている状態を、「特典遊技状態」と称することとする。
【００９２】
高確高ベース状態や低確高ベース状態といった高ベース状態では、右打ちにより右遊技領域３Ｂ（図１参照）へ遊技球を進入させた方が有利に遊技を進行できる。電サポ制御により低ベース状態と比べて電チュー２２が開放されやすくなっており、第１始動口２０への入賞よりも第２始動口２１への入賞の方が容易となっているからである。そのため、普通図柄抽選の契機となるゲート２８へ遊技球を通過させつつ、第２始動口２１へ遊技球を入賞させるべく右打ちを行う。これにより左打ちをするよりも、多数の始動入賞（始動口への入賞）を得ることができる。なお本パチンコ遊技機１では、大当たり遊技中も右打ちにて遊技を行う。
【００９３】
これに対して、低ベース状態では、左打ちにより左遊技領域３Ａ（図１参照）へ遊技球を進入させた方が有利に遊技を進行できる。電サポ制御が実行されていないため、高ベース状態と比べて電チュー２２が開放されにくくなっており、第２始動口２１への入賞よりも第１始動口２０への入賞の方が容易となっているからである。そのため、第１始動口２０へ遊技球を入賞させるべく左打ちを行う。これにより右打ちするよりも、多数の始動入賞を得ることができる。
【００９４】
５．遊技制御用マイコン８１の動作
［主制御メイン処理］次に図１３及び図１４に基づいて遊技制御用マイコン８１の動作について説明する。なお、遊技制御用マイコン８１の動作説明にて登場するカウンタ、タイマ、フラグ、ステータス、バッファ等は、ＲＡＭ８４に設けられている。主制御基板８０に備えられた遊技制御用マイコン８１は、パチンコ遊技機１の電源がオンされると、ＲＯＭ８３から図１３に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、ＣＰＵ８２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【００９５】
初期設定(S001)に次いで、割り込みを禁止し(S002)、普通図柄・特別図柄主要乱数更新処理(S003)を実行する。この普通図柄・特別図柄主要乱数更新処理(S003)では、図９に示した種々の乱数カウンタ値を１加算して更新する。各乱数カウンタ値は上限値に至ると「０」に戻って再び加算される。なお各乱数カウンタの周期初期値は「０」以外の値であってもよく、ランダムに変更されるものであってもよい。また各乱数の少なくとも一部は、カウンタＩＣ等からなる公知の乱数生成回路を利用して生成される所謂ハードウェア乱数であってもよい。全ての乱数をハードウェア乱数とする場合、ソフトウェアによる乱数の更新処理は必要ない。また乱数発生回路は、遊技制御用マイコン８１に内蔵されていてもよい。
【００９６】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期でＣＰＵ８２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときにＣＰＵ８２に割り込みパルスが入力された場合は、メイン側タイマ割り込み処理(S005)はすぐには開始されず、割り込み許可(S004)がされてから開始される。
【００９７】
［メイン側タイマ割り込み処理］次に、メイン側タイマ割り込み処理(S005)について説明する。図１４に示すように、メイン側タイマ割り込み処理(S005)では、まず出力処理(S101)を実行する。出力処理(S101)では、以下に説明する各処理において主制御基板８０のＲＡＭ８４に設けられた出力バッファにセットされたコマンド等を、サブ制御基板９０や払出制御基板１１０等に出力する。
【００９８】
出力処理(S101)に次いで行われる入力処理(S102)では、主にパチンコ遊技機１に取り付けられている各種センサ（第１始動口センサ２０ａ，第２始動口センサ２１ａ、第１大入賞口センサ３０ａ、第２大入賞口センサ３５ａ、普通入賞口センサ２７ａ等（図５参照））が検知した検出信号を読み込み、入賞口の種類に応じた賞球を払い出すための払い出しデータをＲＡＭ８４の出力バッファにセットする。また、入力処理(S102)では、下皿６２の満杯を検出する下皿満杯スイッチからの検出信号も取り込み、下皿満杯データとしてＲＡＭ８４の出力バッファに記憶する。
【００９９】
次に行われる普通図柄・特別図柄主要乱数更新処理(S103)は、図１３の主制御メイン処理で行う普通図柄・特別図柄主要乱数更新処理(S003)と同じである。即ち、図９に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【０１００】
普通図柄・特別図柄主要乱数更新処理(S103)に次いで、始動口センサ検出処理(S104)、普通動作処理(S105)を行う。始動口センサ検出処理(S104)では、第１始動口センサ２０ａ又は第２始動口センサ２１ａによる入賞検知があれば、入賞検知のあった始動口に対応する保留記憶が４個未満であることを条件に大当たり乱数等の乱数（大当たり乱数、当たり種別乱数、リーチ乱数、及び変動パターン乱数（図９（Ａ）参照））を取得する。また、ゲートセンサ２８ａによる通過検知があれば、すでに記憶されている当たり乱数が４個未満であることを条件に普通図柄乱数（図９（Ｂ）参照）を取得する。
【０１０１】
普通動作処理(S105)では、始動口センサ検出処理にて取得した普通図柄乱数を所定の判定テーブル（図１０（Ｃ）参照）を用いて判定する。そして、その判定結果を報知するための普通図柄の表示（変動表示と停止表示）を行う。普通図柄乱数の判定の結果、普通当たり図柄に当選していた場合には、遊技状態に応じた所定の開放パターン（開放時間や開放回数、図１２参照）に従って電チュー２２を開放させる補助遊技を行う。
【０１０２】
次に遊技制御用マイコン８１は、特別動作処理(S106)、特定領域センサ検出処理(S107)を行う。特別動作処理(S106)では、始動口センサ検出処理にて取得した大当たり乱数等の乱数を所定の判定テーブル（図８，図１０（Ａ）（Ｂ），図１１参照）を用いて判定する。そして、大当たり抽選の結果を示すための特別図柄の表示（変動表示と停止表示）を行う。また、当たり種別に応じた特図停止図柄データ（図８）や、特別図柄の変動表示の変動パターンの情報を含む変動開始コマンドをＲＡＭ８４の所定の記憶領域にセットする。そして、大当たり乱数の判定の結果、大当たりに当選していた場合には、大当たりの種別に応じた所定の開放パターン（開放時間や開放回数、図８参照）に従って第１大入賞口３０を開放させる大当たり遊技（特別遊技）を行う。この大当たり遊技の実行に際しては、当選した大当たり図柄の種別の情報を含むオープニングコマンドをＲＡＭ８４の所定の記憶領域にセットする。なお特別動作処理(S106)において、大当たり乱数等の乱数の記憶がない場合には、演出制御用マイコン９１に客待ち演出を実行させるための客待ち待機コマンドをセットする。
【０１０３】
特定領域センサ検出処理(S107)では、特定領域センサ３９ａによる遊技球の検知があったか否かを判定し、それが所定のＶ有効期間におけるものであれば、ＶフラグをＯＮにする。また、ＶフラグがＯＮであれば、この次に実行される特別動作処理(S106)において、確変フラグがＯＮにされる。これにより、大当たり遊技後の遊技状態が高確率状態に制御される。
【０１０４】
次に遊技制御用マイコン８１は、その他の処理(S108)を実行する。そして、メイン側タイマ割り込み処理(S005)を終了する。その他の処理(S108)としては、後述の特図２保留球数に基づいて第２特図保留表示器４３ｂをその数を示す表示態様に制御したり、後述の特図１保留球数に基づいて第１特図保留表示器４３ａをその数を示す表示態様に制御したりする。そして、次にＣＰＵ８２に割り込みパルスが入力されるまでは主制御メイン処理のステップS002〜S004の処理が繰り返し実行され（図１３参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にてＲＡＭ８４の出力バッファにセットされたコマンド等が出力される。
【０１０５】
６．演出制御用マイコン９１の動作
［サブ制御メイン処理］次に図１５〜図２１に基づいて演出制御用マイコン９１の動作について説明する。なお、演出制御用マイコン９１の動作説明にて登場するカウンタ、タイマ、フラグ、ステータス、バッファ等は、ＲＡＭ９４に設けられている。サブ制御基板９０に備えられた演出制御用マイコン９１は、パチンコ遊技機１の電源がオンされると、ＲＯＭ９３から図１５に示したサブ制御メイン処理のプログラムを読み出して実行する。同図に示すように、サブ制御メイン処理では、まずＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間の管理のための回路）等の設定等を行う。
【０１０６】
続いて、電源断信号がＯＮで且つＲＡＭ９４の内容が正常であるか否かを判定する(S4002)。そしてこの判定結果がNOであれば、ＲＡＭ９４の初期化をして(S4003)、ステップS4004に進む。一方、判定結果がYESであれば(S4002でYES)、ＲＡＭ９４の初期化をせずにステップS4004に進む。すなわち、電源断信号がＯＮでない場合、又は電源断信号がＯＮであってもＲＡＭ９４内容が正常でない場合には(S4002でNO)、ＲＡＭ９４を初期化するが、停電などで電源断信号がＯＮとなったがＲＡＭ９４内容が正常に保たれている場合には(S4002でYES)、ＲＡＭ９４を初期化しない。なお、ＲＡＭ９４を初期化すれば、各種のフラグ、ステータス及びカウンタ等の値はリセットされる。また、このステップS4001〜S4003は、電源投入後に一度だけ実行され、それ以降は実行されない。
【０１０７】
ステップS4004では、割り込みを禁止する。次いで、乱数更新処理を実行する(S4005)。乱数更新処理(S4005)では、種々の演出決定用乱数カウンタの値を更新する。なお、演出決定用乱数には、変動演出パターンを決定するための変動演出パターン決定用乱数、種々の予告演出を決定するための予告演出決定用乱数等がある。乱数の更新方法は、前述の主制御基板８０が行う乱数更新処理と同様の方法をとることができる。更新に際して乱数値を１ずつ加算するのではなく、２ずつ加算するなどしてもよい。これは、前述の主制御基板８０が行う乱数更新処理においても同様である。
【０１０８】
乱数更新処理(S4005)が終了すると、コマンド送信処理を実行する(S4006)。コマンド送信処理では、サブ制御基板９０のＲＡＭ９４内の出力バッファに格納されている各種のコマンドを、画像制御基板１００に送信する。コマンドを受信した画像制御基板１００は、コマンドに従い演出表示装置７を用いて各種の演出（装飾図柄変動演出や、大当たり遊技に伴う大当たり演出（オープニング演出、開放遊技演出、エンディング演出）、デモ演出等）を実行する。なお、画像制御基板１００による各種の演出の実行に伴ってサブ制御基板９０は、音声制御基板１０６を介してスピーカ６７から音声を出力したり、サブ駆動基板１０７を介して各ランプを発光させたり、装飾可動部１５を動作させたりする。演出制御用マイコン９１は続いて、割り込みを許可する(S4007)。以降、ステップS4004〜S4007をループさせる。割り込み許可中においては、受信割り込み処理(S4008)、１ｍｓタイマ割り込み処理(S4009)、および１０ｍｓタイマ割り込み処理(S4010)の実行が可能となる。
【０１０９】
[受信割り込み処理]受信割り込み処理(S4008)は、ストローブ信号（ＳＴＢ信号）がＯＮ、すなわち主制御基板８０から送られたストローブ信号が演出制御用マイコン９１の外部ＩＮＴ入力部に入力されると実行される。そして、受信割り込み処理(S4008)では、図１６に示すように、主制御基板８０の出力処理(S101)により送信されてきた各種のコマンドをＲＡＭ９４に格納する(S4101)。この受信割り込み処理は、他の割り込み処理(S4009、S4010)に優先して実行される処理である。
【０１１０】
［１ｍｓタイマ割り込み処理］１ｍｓタイマ割り込み処理(S4009)は、サブ制御基板９０に１ｍｓｅｃ周期の割り込みパルスが入力される度に実行される。図１７に示すように、１ｍｓタイマ割り込み処理(S4009)ではまず、入力処理(S4201)を行う。入力処理(S4201)では、演出ボタン検出スイッチ６３ａ及びセレクトボタン検出スイッチ６４ａからの検知信号に基づいてスイッチデータ（エッジデータ及びレベルデータ）を作成する。
【０１１１】
続いて、ランプデータ出力処理(S4202)を行う。ランプデータ出力処理(S4202)では、画像演出等の演出に合うタイミングで枠ランプ６６、盤ランプ８１３，８２３等を発光させるべく、後述の１０ｍｓタイマ割り込み処理におけるその他の処理(S4404)で作成したランプデータをサブ駆動基板１０７に出力する。つまり、ランプデータに従って各ランプを所定の発光態様で発光させる。
【０１１２】
次いで、後述する駆動制御処理(S4203)、ウォッチドッグタイマ処理(S4204)を行って、本処理を終える。ウォッチドッグタイマ処理(S4204)では、ウォッチドッグタイマのリセット設定を行う。
【０１１３】
［駆動制御処理］駆動制御処理(S4203)では、画像演出等の演出に合うタイミングで装飾可動部１５を動作させる。そのため、図１８に示すように、駆動制御処理(S4203)ではまず、演出制御用マイコン９１は、装飾可動部１５の鉛直移動部５００の移動タイミングであるか否かを判定する(S4301)。鉛直移動部５００の移動タイミングである場合には(S4301でYES)、鉛直移動用モータ５０１の励磁相の切り替え (S4302) を行った後、装飾回転体５１０の回転演出のタイミングであるか否かを判定する(S4303)。一方、鉛直移動部５００の移動タイミングでない場合には(S4301でNO)、鉛直移動用モータ５０１の励磁相の切り替え(S4302)を行うことなく、装飾回転体５１０の回転演出のタイミングであるか否かを判定する(S4303)。
【０１１４】
鉛直移動用モータ５０１の励磁相の切り替え (S4302) では、サブ駆動基板１０７によって励磁される鉛直移動用モータ５０１のコイルを切り替える。これにより、本形態では、鉛直移動部５００の動作時において、鉛直移動用モータ５０１を、１ｍｓｅｃ間隔で１ステップずつ回転させる。つまり、本形態では、鉛直移動用モータ５０１の駆動時のパルス周波数は、１０００ｐｐｓである。なお、鉛直移動部５００が待機位置から演出位置まで移動する下降移動時と、演出位置から待機位置まで移動する上昇移動時とでは、鉛直移動用モータ５０１の回転方向が反対向きとなるように励磁相の切り替えを行う。
【０１１５】
次に、装飾回転体５１０の回転演出のタイミングである場合には(S4303でYES)、回転カウンタの値が「１」または「３」であるか否かを判定する(S4304)。回転カウンタの値が「１」および「３」のいずれかである場合には(S4304でYES)、回転用モータ５１１の励磁相の切り替え(S4305)を行った後、回転カウンタの値を１インクリメントする(S4306)。一方、回転カウンタの値が「１」および「３」のいずれでもない場合には(S4304でNO)、回転用モータ５１１の励磁相の切り替え(S4305)を行うことなく、回転カウンタの値を１インクリメントする(S4306)。
【０１１６】
続いて、回転カウンタの値が「６」であるか否かを判定する(S4307)。回転カウンタの値が「６」である場合には(S4307でYES)、その値を「１」に更新して本処理を終える。一方、回転カウンタの値が「６」でない場合には(S4307でNO)、「１」に更新することなく、本処理を終える。
【０１１７】
このため、回転用モータ５１１についても、励磁相の切り替え(S4305)では、鉛直移動用モータ５０１と同様、サブ駆動基板１０７によって励磁される回転用モータ５１１のコイルの切り替えを行う。ただし、装飾回転体５１０の動作時においては、回転用モータ５１１を、回転カウンタの値を「１」から「５」までの間でカウントしつつ、回転カウンタの値が「１」または「３」である場合にのみ、励磁相を切り替える。これにより、装飾回転体５１０の動作時においては、回転用モータ５１１を、２ｍｓｅｃ間隔と３ｍｓｅｃ間隔との交互の間隔で１ステップずつ回転させる。つまり、回転用モータ５１１の駆動時には、一定周期ではなく不均等な間隔で励磁相の切り替えが行われる。
【０１１８】
また、本形態では、装飾回転体５１０の動作時における回転用モータ５１１について、１ｓｅｃに４００回、２ｍｓｅｃ間隔と３ｍｓｅｃ間隔との交互の間隔で励磁相の切り替えを行っている。この１ｓｅｃ当たりの励磁相の切り替え回数は、パルス周波数４００ｐｐｓに相当する。すなわち、本形態では、回転用モータ５１１の駆動時の疑似的なパルス周波数が、４００ｐｐｓとされている。この４００ｐｐｓは、一定周期で励磁相を切り替えつつ回転用モータ５１１を制御した場合には発生させることのできないパルス周波数である。この点については、後に詳述する。
【０１１９】
［１０ｍｓタイマ割り込み処理］１０ｍｓタイマ割り込み処理(S4010)は、サブ制御基板９０に１０ｍｓｅｃ周期の割り込みパルスが入力される度に実行される。図１９に示すように、１０ｍｓタイマ割り込み処理(S4010)ではまず、後述する受信コマンド解析処理(S4401)を行う。次いで、１ｍｓタイマ割り込み処理で作成したスイッチデータを１０ｍｓタイマ割り込み処理用のスイッチデータとしてＲＡＭ９４に格納するスイッチ状態取得処理を行う(S4402)。続いて、スイッチ状態取得処理にて格納したスイッチデータに基づいて表示画面７ａの表示内容等を設定するスイッチ処理(S4403)を行う。
【０１２０】
その後、演出制御用マイコン９１は、その他の処理(S4404)として、後述の受信コマンド解析処理(S4401)での演出選択結果に応じて、ランプデータ（各ランプの点灯を制御するデータ）を作成したり、音声データ（スピーカ６７からの音声の出力を制御するデータ）の作成及び音声制御基板１０６への出力をしたりする。また、各種の演出決定用乱数を更新したりする。
【０１２１】
［受信コマンド解析処理］図２０に示すように、受信コマンド解析処理(S4401)ではまず、演出制御用マイコン９１は、主制御基板８０から変動開始コマンドを受信したか否か判定し(S4501)、受信していれば後述の変動演出開始処理(S4502)を行う。
【０１２２】
続いて、演出制御用マイコン９１は、主制御基板８０から変動停止コマンドを受信したか否か判定し(S4503)、受信していれば変動演出終了処理(S4504)を行う。変動演出終了処理(S4504)では、変動停止コマンドを解析し、その解析結果に基づいて、変動演出を終了させるための変動演出終了コマンドをＲＡＭ９４の出力バッファにセットする。
【０１２３】
続いて、演出制御用マイコン９１は、主制御基板８０からオープニングコマンドを受信したか否か判定し(S4505)、受信していればオープニング演出選択処理(S4506)を行う。オープニング演出選択処理(S4506)では、オープニングコマンドを解析して、その解析結果に基づいて、大当たり遊技のオープニング中に実行するオープニング演出のパターン（内容）を選択する。そして、選択したオープニング演出パターンにてオープニング演出を開始するためのオープニング演出開始コマンドをＲＡＭ９４の出力バッファにセットする。
【０１２４】
続いて、演出制御用マイコン９１は、主制御基板８０からラウンド指定コマンドを受信したか否か判定し(S4507)、受信していればラウンド演出選択処理(S4508)を行う。ラウンド演出選択処理(S4508)では、ラウンド指定コマンドを解析して、その解析結果に基づいて、大当たり遊技のラウンド遊技中に実行するラウンド演出（開放遊技演出）のパターン（内容）を選択する。そして、選択したラウンド演出パターンにてラウンド演出を開始するためのラウンド演出開始コマンドをＲＡＭ９４の出力バッファにセットする。
【０１２５】
続いて、演出制御用マイコン９１は、主制御基板８０からエンディングコマンドを受信したか否か判定し(S4509)、受信していればエンディング演出選択処理(S4510)を行う。エンディング演出選択処理(S4510)では、エンディングコマンドを解析して、その解析結果に基づいて、大当たり遊技のエンディング中に実行するエンディング演出のパターン（内容）を選択する。そして、選択したエンディング演出パターンにてエンディング演出を開始するためのエンディング演出開始コマンドをＲＡＭ９４の出力バッファにセットする。
【０１２６】
続いて、演出制御用マイコン９１は、その他の処理(S4511)として、上記のコマンド以外の受信コマンドに基づく処理（例えば、Ｖ通過を示すＶ通過コマンドに基づいてＶ通過報知を行う処理等）を行う。そして、受信コマンド解析処理を終える。
【０１２７】
［変動演出開始処理］図２１に示すように、変動演出開始処理(S4502)ではまず、演出制御用マイコン９１は、変動開始コマンドを解析する（S4601）。変動開始コマンドには、特別動作処理(S106)でセットされた変動パターンの情報や、特図停止図柄データの情報が含まれている。なお、これらの情報を別々のコマンドで取得する構成としてもよい。また、ここで演出制御用マイコン９１が取得した情報は、これ以降に実行する処理においても適宜利用可能なものとする。
【０１２８】
次に演出制御用マイコン９１は、変動演出パターンの選択を行う(S4602)。具体的には、変動演出パターン決定用乱数を取得するとともに、変動パターンの種類（図１１のＰ１等）に応じて分類されている複数のテーブルの中から、変動開始コマンドの解析結果に基づいて一つのテーブルを選択し、その選択したテーブルを用いて、取得した変動演出パターン決定用乱数を判定することにより、変動演出パターンを選択する。これにより、変動演出の時間、装飾図柄の変動表示態様、リーチ演出の有無、リーチ演出の内容、ＳＷ演出（演出ボタン演出）の有無、ＳＷ演出の内容、演出展開構成、装飾図柄の背景の種類等からなる変動演出の内容の詳細が決まることとなる。つまり変動演出パターンが決まれば、装飾可動部１５の鉛直移動部５００の下降移動および上昇移動の実行の有無やそのタイミング、装飾回転体５１０の回転演出の実行の有無やそのタイミングといった詳細まで含めて変動演出の内容が決定される。
【０１２９】
続いて演出制御用マイコン９１は、変動演出において最終的に停止表示する装飾図柄（演出図柄）８Ｌ，８Ｃ，８Ｒの選択を行う(S4603)。具体的には、演出図柄決定用乱数を取得するとともに、特別図柄の種類やリーチの有無に応じて分類されている複数のテーブルの中から、変動開始コマンドの解析結果に基づいて一つのテーブルを選択し、その選択したテーブルを用いて、取得した演出図柄決定用乱数を判定することにより、装飾図柄を選択する。これにより、最終的に停止表示される装飾図柄８Ｌ，８Ｃ，８Ｒの組み合わせ（例えば「７７７」等）が決定される。
【０１３０】
続いて演出制御用マイコン９１は、予告演出の選択を行う(S4604)。具体的には、予告演出決定用乱数を取得するとともに、特別図柄の種類やリーチの有無に応じて分類されている複数のテーブルの中から、変動開始コマンドの解析結果に基づいて一つのテーブルを選択し、その選択したテーブルを用いて、取得した予告演出決定用乱数を判定することにより、予告演出を選択する。これにより、いわゆるステップアップ予告演出やチャンスアップ予告演出などの予告演出の内容が決定される。
【０１３１】
そして、選択した変動演出パターン、演出図柄、及び予告演出にて変動演出を開始するための変動演出開始コマンドをＲＡＭ９４の出力バッファにセットして(S4605)、変動演出開始処理を終了する。ステップS4605でセットされた変動演出開始コマンドが、コマンド送信処理(S4006)により画像制御基板１００に送信されると、画像制御基板１００のＣＰＵ１０２は、所定の演出画像をＲＯＭ１０３から読み出して、演出表示装置７の表示画面７ａにて変動演出を行う。
【０１３２】
ここで、本形態の駆動制御処理(S4203)では、前述したように、回転用モータ５１１の励磁相の切り替えを２ｍｓｅｃ間隔と３ｍｓｅｃ間隔との交互の間隔で行っている。これにより、励磁相の切り替えを一定周期で行った場合には不可能な回転速度で、回転用モータ５１１の駆動を行っている。このことについて説明する。
【０１３３】
まず、図２２には、本形態における駆動制御処理(S4203)とは異なり、２ｍｓｅｃ周期で回転用モータ５１１の励磁相を切り替えた場合の励磁シーケンスの例を示している。前述したように、駆動制御処理(S4203)は、１ｍｓタイマ割り込み処理(S4009)において実行される処理である。このため、図２２の例では、１ｍｓｅｃ周期で実行される駆動制御処理(S4203)での回転用モータ５１１の励磁相の切り替えを、１つおきの駆動制御処理(S4203)において行っている。すなわち、予め定められた一定の設定周期である１ｍｓｅｃ周期ごとに励磁相を切り替えるか否かを判定し、その設定周期の２倍である２ｍｓｅｃ周期で回転用モータ５１１の励磁相を切り替えることとしている。そして、図２２の例では、回転用モータ５１１の励磁相の切り替えに係るパルス周波数は、５００ｐｐｓである。
【０１３４】
また、図２３には、本形態における駆動制御処理(S4203)とは異なり、３ｍｓｅｃ周期で回転用モータ５１１の励磁相を切り替えた場合の励磁シーケンスの例を示している。このため、図２３の例では、１ｍｓｅｃ周期で実行される駆動制御処理(S4203)での回転用モータ５１１の励磁相の切り替えを、２つおきの駆動制御処理(S4203)において行っている。すなわち、一定の設定周期である１ｍｓｅｃ周期ごとに励磁相を切り替えるか否かを判定し、その設定周期の３倍である３ｍｓｅｃ周期で回転用モータ５１１の励磁相を切り替えることとしている。そして、図２３の例では、回転用モータ５１１の励磁相の切り替えに係るパルス周波数は、約３３３ｐｐｓである。
【０１３５】
すなわち、図２２、図２３のそれぞれに示す励磁シーケンスの例はともに、従来通り、一定周期で回転用モータ５１１の励磁相を切り替えたときのものである。そして、励磁相の切り替えの周期を、設定周期である１ｍｓｅｃの１以上の整数倍とした場合、その励磁相の切り替えのパルス周波数は、段階的に定まってしまうことがわかる。具体的には、１ｍｓｅｃの設定周期の２倍を励磁相の切り替えの周期とした場合のパルス周波数５００ｐｐｓと、１ｍｓｅｃの設定周期の３倍を励磁相の切り替えの周期とした場合のパルス周波数約３３３ｐｐｓとの間のパルス周波数は、従来、発生させることができなかったものであることがわかる。
【０１３６】
これに対し、図２４には、本形態の駆動制御処理(S4203)における回転用モータ５１１の励磁シーケンスを示している。つまり、図２４は、２ｍｓｅｃ間隔と３ｍｓｅｃ間隔との交互の間隔で回転用モータ５１１の励磁相を切り替えた場合の励磁シーケンスである。そして、前述したように、この本形態の励磁シーケンスでは、パルス周波数を見かけ上、４００ｐｐｓとすることができる。そして、この４００ｐｐｓは、従来発生させることができなかった、５００ｐｐｓと約３３３ｐｐｓとの間のパルス周波数である。
【０１３７】
よって、本形態のパチンコ遊技機１では、２ｍｓｅｃ間隔と３ｍｓｅｃ間隔との交互の間隔で回転用モータ５１１の励磁相を切り替えることで、従来発生させることができなかったパルス周波数を疑似的に発生させつつ回転用モータ５１１を駆動させていることがわかる。すなわち、本形態では、これまで不可能であった回転速度での回転を、装飾回転体５１０に行わせることができる。従って、本形態に係るパチンコ遊技機１は、これまでにはない回転速度で装飾回転体５１０を回転させることで、新たな興趣を提供することが可能である。
【０１３８】
すなわち、本形態に係るパチンコ遊技機１の構成においては、装飾回転体５１０を、回転用モータ５１１により、５００ｐｐｓのパルス周波数で駆動することが困難である。回転用モータ５１１の出力性能上、トルクが不足してしまい、装飾回転体５１０をその回転演出の時間だけ回転させようとしたとしても、脱調が生じてしまうおそれがあるからである。すなわち、５００ｐｐｓは、その１周期分の時間が、回転演出の期間中に回転用モータ５１１が同期して駆動されないことがある最低のパルス周波数である非同期パルス周波数の１周期分の時間以下だからである。
【０１３９】
このため、装飾回転体５１０の回転駆動に、５００ｐｐｓのパルス周波数を用いることはふさわしくない。前述したように、回転演出は演出における重要な局面で実行されるものである。そして、回転用モータ５１１に脱調が生じてしまった場合には、装飾回転体５１０の回転が重要な局面で停止してしまうおそれがある。あるいは、演出における重要な局面で、装飾回転体５１０が、本来の回転演出とは異なった挙動で動作してしまうおそれもある。よって、装飾回転体５１０の回転駆動に５００ｐｐｓのパルス周波数を用いた場合には、演出の興趣性を低下させてしまうおそれがあるからである。
【０１４０】
一方、本形態に係るパチンコ遊技機１の構成においては、装飾回転体５１０を、回転用モータ５１１により、約３３３ｐｐｓのパルス周波数で駆動することは可能である。約３３３ｐｐｓは、その１周期分の時間が、非同期パルス周波数の１周期分の時間よりも長いからである。しかし、約３３３ｐｐｓでは、装飾回転体５１０を、遊技者に十分なインパクトを与えるほどの回転速度で回転させることができない。つまり、約３３３ｐｐｓで装飾回転体５１０を回転させた場合には、装飾回転体５１０の回転速度が遅く、演出における重要な局面での興趣が乏しいものとなってしまうおそれがある。
【０１４１】
これらに対し、本形態に係るパチンコ遊技機１においては、装飾回転体５１０を、回転用モータ５１１により、見かけ上、４００ｐｐｓのパルス周波数で駆動することができる。これにより、回転用モータ５１１の脱調を抑制することができる。また、見かけ上、４００ｐｐｓのパルス周波数で装飾回転体５１０に回転演出を行わせたときには、遊技者に十分なインパクトを与えることができる。よって、本形態のパチンコ遊技機１では、回転演出において、２ｍｓｅｃ間隔と３ｍｓｅｃ間隔との交互の間隔で回転用モータ５１１の励磁相を切り替えることで、演出における重要な局面での興趣を、回転演出によって十分に高めることができる。
【０１４２】
７．本形態の効果
以上詳細に説明したように、本形態のパチンコ遊技機１は、回転用モータ５１１、装飾回転体５１０、演出制御用マイコン９１を有している。回転用モータ５１１は、励磁相の切り替えに同期して駆動力を発生させる。装飾回転体５１０は、回転用モータ５１１の駆動力によって回転演出を行う。演出制御用マイコン９１は、サブ駆動基板１０７により、回転用モータ５１１の励磁相を、第１の間隔である２ｍｓｅｃ間隔と、第２の間隔である３ｍｓｅｃ間隔とで切り替える。これにより、これまでは不可能であった回転速度で、装飾回転体５１０に回転演出を行わせることが可能である。よって、可動体によって興趣性の高い演出を行うことが可能な遊技機が実現されている。
【０１４３】
また本形態のパチンコ遊技機１の演出制御用マイコン９１は、回転演出中において、サブ駆動基板１０７により、回転用モータ５１１の励磁相を、２ｍｓｅｃ間隔と３ｍｓｅｃ間隔との交互の間隔で切り替えている。よって、２ｍｓｅｃの一定周期で励磁相の切り替えを行った場合にも、３ｍｓｅｃの一定周期で励磁相の切り替えを行った場合にも不可能な、それらの間の回転速度で、装飾回転体５１０に回転演出を行わせることが可能である。
【０１４４】
また本形態のパチンコ遊技機１においては、前述したように、５００ｐｐｓは、その１周期分の時間が、回転演出中に回転用モータ５１１が同期して駆動されないことがある最低のパルス周波数である非同期パルス周波数の１周期分の時間以下のパルス周波数である。つまり、第１の間隔である２ｍｓｅｃは、回転演出の期間中に回転用モータ５１１が励磁相の切り替えに同期して駆動されないことがある最長の励磁相の切り替えの周期である非同期周期以下の時間である。
【０１４５】
また、約３３３ｐｐｓは、その１周期分の時間が、非同期パルス周波数の１周期分の時間よりも長い時間のパルス周波数である。つまり、第２の間隔である３ｍｓｅｃは、非同期周期よりも長い時間である。このため、本形態のパチンコ遊技機１では、５００ｐｐｓでは生じてしまう脱調を抑制しつつ、約３３３ｐｐｓよりも速い、興趣性の高い回転速度で、装飾回転体５１０に回転演出を行わせることが可能である。
【０１４６】
なお、回転用モータ５１１の励磁相を２ｍｓｅｃ間隔と３ｍｓｅｃ間隔との交互の間隔で切り替えた場合、瞬間的には、５００ｐｐｓで回転しているとも考えられる。瞬間的には、５００ｐｐｓのときと同じ、非同期周期以下の時間である２ｍｓｅｃ間隔で、励磁相を切り替えていることがあるからである。このため、２ｍｓｅｃ間隔で励磁相を切り替えたときに、瞬間的には、ロータは、その励磁相の切り替えに完全には同期していない場合もあると考えられる。
【０１４７】
しかし、本形態では、２ｍｓｅｃ間隔で励磁相を切り替えた後、非同期周期よりも長い３ｍｓｅｃ間隔で励磁相を切り替えている。このため、２ｍｓｅｃ間隔で励磁相を切り替えたときに完全には同期できず、わずかに遅れていたロータが、次の３ｍｓｅｃ間隔での励磁相の切り替えの際に追いつくことで、脱調が抑制されているものと考えられる。よって、本形態のように、非同期周期以下の第１の間隔と、非同期周期よりも長い第２の間隔との交互の間隔で励磁相を切り替えることで、脱調による同期不良を生じさせることなく、回転用モータ５１１を制御できるものと考えられる。
【０１４８】
また前述したように、本形態のパチンコ遊技機１では、回転用モータ５１１について、１ｍｓｅｃの設定周期に対し、その２倍である２ｍｓｅｃ間隔（第１の間隔）と、３倍である３ｍｓｅｃ間隔（第２の間隔）との交互の間隔で励磁相を切り替えている。つまり、第２の間隔の設定周期に対する比が、第１の間隔の設定周期に対する比に１を加えた比となるようにしている。すなわち、第１の間隔と第２の間隔とを、これらの差が最も小さくなるように設定している。このため、本形態では、不均等な間隔で回転用モータ５１１の励磁相の切り替えを行っているにも関わらず、回転用モータ５１１を滑らかに回転させることが可能である。よって、装飾回転体５１０の回転演出を滑らかに行うことができるため、遊技者には、装飾回転体５１０が、一定の自然な速度で回転しているように視認させることが可能である。
【０１４９】
さらに、本形態のパチンコ遊技機１では、第１の間隔を非同期周期以下の間隔とし、第２の間隔を非同期周期よりも長い間隔とするとともに、第１の間隔と第２の間隔との差が最も小さくなるように設定している。このため、回転用モータ５１１を、脱調による同期不良の生じない範囲で最も速い回転速度で駆動することが可能となっている。そして、一般的には、装飾回転体５１０の回転速度が速いほど、遊技者に与えるインパクトは大きなものとなる。つまり、装飾回転体５１０に、これまで設定できなかった最高の回転速度で、最もインパクトのある回転演出を行わせることができる。これにより、装飾回転体５１０による回転演出の興趣性を、最大限に高めることが可能となっている。
【０１５０】
８．変更例
以下、変更例について説明する。なお、変更例の説明において、上記形態のパチンコ遊技機１と同様の構成については、同じ符号を付して説明を省略する。勿論、変更例に係る構成同士を適宜組み合わせて構成してもよい。
【０１５１】
例えば、上記形態では、装飾回転体５１０の駆動源である回転用モータ５１１についてのみ、励磁相の切り替えを、第１の間隔と第１の間隔よりも長い第２の間隔とで行っている。しかし、例えば、鉛直移動部５００の駆動源である鉛直移動用モータ５０１について、励磁相の切り替えを、第１の間隔と第１の間隔よりも長い第２の間隔とで行ってもよい。すなわち、本発明は当然、回転動作を行う可動部についての駆動部だけではなく、直線動作を行う可動部についての駆動部にも適用することが可能である。さらには、回転動作と直線動作とを混合させた軌道で動作する可動部についての駆動部にも適用することが可能である。
【０１５２】
また例えば、上記形態では、第１の間隔を２ｍｓｅｃ間隔とし、第２の間隔を３ｍｓｅｃ間隔としている。しかし、第１の間隔および第２の間隔はそれぞれ、２ｍｓｅｃ間隔および３ｍｓｅｃ間隔に限られず、当然、これとは異なる間隔とすることも可能である。また、上記形態では、駆動制御処理(S4203)を、１ｍｓタイマ割り込み処理(S4009)において行っている。しかし、１ｍｓタイマ割り込み処理(S4009)の実行周期は、当然、１ｍｓｅｃ周期に限られるものではない。つまり、駆動制御処理(S4203)が実行される設定周期は、１ｍｓｅｃ周期に限られるものではない。
【０１５３】
また例えば、上記形態では、装飾回転体５１０の回転演出が実行される、演出における重要な局面を、大当たり抽選の結果が大当たりであることを遊技者に報知する場面のうちの１つとし、回転演出を、大当たり抽選の結果が大当たりである場合にのみ実行するものとして説明している。しかし、装飾回転体５１０の回転演出は、例えば、大当たりでない場合に実行することとしてもよい。また例えば、大当たりである場合と大当たりでない場合との両方において実行することとしてもよい。
【０１５４】
具体的に、例えば、装飾回転体５１０の回転演出を、大当たりの期待度に合わせて実行することが可能である。すなわち、例えば、装飾回転体５１０の回転演出を、大当たりである場合の演出と、大当たりには当選していないものの大当たりに当選している期待度が高い演出とに合わせて実行し、大当たりに当選している期待度が低い演出中には実行しないこととすることが可能である。大当たりには当選していないものの大当たりに当選している期待度が高い演出とは、例えば、強ＳＰリーチ等（図１１）である。
【０１５５】
また例えば、上記形態では、装飾回転体５１０の回転演出時には、回転用モータ５１１の励磁相の切り替えを、２ｍｓｅｃ間隔と３ｍｓｅｃ間隔との交互の間隔でのみ行うこととしている。しかし、上記のパチンコ遊技機１の例では、回転用モータ５１１は、励磁相の切り替えを、３ｍｓｅｃの一定周期で行うことも可能であるとしている。よって、回転用モータ５１１の励磁相の切り替えを、２ｍｓｅｃ間隔と３ｍｓｅｃ間隔との交互の間隔で行う場合と、３ｍｓｅｃの一定周期で行う場合とを設けてもよい。すなわち、回転用モータ５１１の励磁相の切り替えを、第１の間隔または第２の間隔の一定周期で行うことが可能である場合、それらの制御についても行うこととしてもよい。
【０１５６】
具体的に、例えば、演出制御用マイコン９１は、回転用モータ５１１の励磁相の切り替えを、第１の間隔と第２の間隔との交互の間隔で行う交互切替制御と、第１の間隔または第２の間隔の一方の間隔のみの一定間隔で行う一定切替制御とを行うものであってもよい。この場合、交互切替制御により、装飾回転体５１０を、第１の間隔で一定切替制御を行った場合の回転速度と第２の間隔で一定切替制御を行った場合の回転速度との間の回転速度で回転させることが可能である。これにより、第１の間隔で一定切替制御を行ったときの回転速度と第２の間隔で一定切替制御を行ったときの回転速度との間の回転速度を交互切替制御によって新たに使用できるため、従来よりも多くの種類の回転速度を用いた演出のバリエーションを作り出すことが可能となる。さらには、交互切替制御を行ったときと一定切替制御を行ったときとの装飾回転体５１０の回転の速度差を、第１の間隔で一定切替制御を行ったときと第２の間隔で一定切替制御を行ったときの装飾回転体５１０の回転の速度差よりも、小さなものとすることが可能である。これにより、交互切替制御と一定切替制御とのわずかな速度差を用いた演出のバリエーションを作り出すことが可能となる。よって、演出効果を高めることが可能となる。
【０１５７】
また例えば、上記形態では、図１８に示す駆動制御処理(S4203)のフローからわかる通り、装飾回転体５１０の回転演出の開始から終了までにかけて、回転用モータ５１１の励磁相の切り替えを、２ｍｓｅｃ間隔と３ｍｓｅｃ間隔との交互の間隔でのみ行っている。しかし、例えば、装飾回転体５１０の回転演出の開始時には、回転用モータ５１１の回転を加速させるためのスローアップ制御を行うこととしてもよい。また例えば、装飾回転体５１０の回転演出の終了時には、回転用モータ５１１の回転を減速させるスローダウン制御を行うこととしてもよい。そして、例えば、このようなスローアップ制御とスローダウン制御とをともに行う場合、回転用モータ５１１の励磁相の切り替えを第１の間隔と第２の間隔との交互の間隔で行う期間は、スローアップ制御の終了時からスローダウン制御の開始時までとなる。
【０１５８】
また例えば、上記形態では、回転用モータ５１１を、２相ユニポーラ駆動のものとして説明している。しかし、回転用モータ５１１は、２相ユニポーラ駆動のものに限られるものではない。例えば、回転用モータ５１１として、２相バイポーラ駆動のものを用いることもできる。また例えば、回転用モータ５１１として、２相以外の相数のものを用いることもできる。
【０１５９】
また例えば、上記形態では、サブ駆動基板１０７を、励磁相の切り替えを２相励磁により行うものとして説明している。しかし、サブ駆動基板１０７は、励磁相の切り替えを１相励磁または１−２相励磁により行うものであってもよい。具体的に、１−２相励磁により励磁相の切り替えを行う場合、その励磁シーケンスは、例えば、図２５に示すようなものとすることができる。
【０１６０】
また例えば、上記形態では、第２の間隔の設定周期に対する比を、第１の間隔の設定周期に対する比に１を加えた比としている。これにより、第１の間隔と第２の間隔との差を最も小さくなるようにし、遊技者に装飾回転体５１０が滑らかに動作しているように視認させている。しかし、第２の間隔の設定周期に対する比を、第１の間隔の設定周期に対する比に２以上の整数を加えた比とすることで、第１の間隔と第２の間隔との差が大きくなるようにしてもよい。そして、この場合には、遊技者に、装飾回転体５１０がカクカクとしたぎこちない動作をしているように視認させることができる。
【０１６１】
また上記形態では、第１始動口２０又は第２始動口２１への入賞に基づいて取得する乱数（判定用情報）として、大当たり乱数等の４つの乱数を取得することとしたが、一つの乱数を取得してその乱数に基づいて、大当たりか否か、大当たりの種別、リーチの有無、及び変動パターンの種類を決めるようにしてもよい。すなわち、始動入賞に基づいて取得する乱数の個数および各乱数において何を決定するようにするかは任意に設定可能である。
【０１６２】
また上記形態では、いわゆるＶ確機（特定領域３９の通過に基づいて高確率状態に制御する遊技機）として構成したが、当選した大当たり図柄の種類に基づいて高確率状態への移行が決定される遊技機として構成してもよい。また上記形態では、いわゆるＳＴ機（確変の回数切りの遊技機）として構成したが、一旦高確率状態に制御されると次の大当たり遊技の開始まで高確率状態への制御が続く遊技機（いわゆる確変ループタイプの遊技機）として構成してもよい。また上記形態では、特図２の変動を特図１の変動に優先して実行するように構成した。これに対して、特図２の変動と特図１の変動を始動口への入賞順序に従って実行するように構成してもよい。この場合、第１特図保留と第２特図保留とを合算して記憶可能な記憶領域をＲＡＭ８４に設け、その記憶領域に入賞順序に従って判定用情報を記憶し、記憶順の古いものから消化するように構成すればよい。また、特図２の変動中であっても特図１の変動を実行でき、且つ、特図１の変動中であっても特図２の変動を実行できるように構成してもよい。つまり、所謂同時変動を行う遊技機として構成してもよい。また、いわゆる１種２種混合機や、ハネモノタイプの遊技機として構成してもよい。すなわち、本発明は、遊技機のゲーム性を問わず、種々のゲーム性の遊技機に対して好適に採用することが可能である。
【０１６３】
また上記形態では、大当たりに当選してそのことを示す特別図柄が停止表示されたことを制御条件として、大当たり遊技状態（特別遊技状態）に制御されるパチンコ遊技機として構成した。これに対して、スロットマシン（回胴式遊技機、パチスロ遊技機）として構成してもよい。この場合、ビッグボーナスやレギュラーボーナスへの入賞によって獲得メダルを増やす所謂ノーマル機であれば、ビッグボーナスやレギュラーボーナス等のボーナスを実行している状態が特別遊技状態に相当する。また、小役に頻繁に入賞可能なＡＲＴ（アシストリプレイタイム）やＡＴ（アシストタイム）等の特別な遊技期間にて獲得メダルを増やす所謂ＡＲＴ機やＡＴ機であれば、ＡＲＴやＡＴ中の状態が特別遊技状態に相当する。また、ノーマル機では特別遊技状態への制御条件は、ビッグボーナスやレギュラーボーナスに当選した上で、有効化された入賞ライン上に、ビッグボーナスやレギュラーボーナスへの移行契機となる図柄の組み合せが各リールの表示結果として導出表示されることである。また、ＡＲＴ機やＡＴ機では特別遊技状態への制御条件は、例えば、ＡＲＴやＡＴの実行抽選に当選した上で、規定ゲーム数を消化するなどしてＡＲＴやＡＴの発動タイミングを迎えることである。
【０１６４】
９．上記した実施の形態に示されている発明
上記した実施の形態には、以下の手段１〜８の発明が示されている。以下に記す手段の説明では、上記した実施の形態における対応する構成名や表現、図面に使用した符号を参考のためにかっこ書きで付記している。但し、各発明の構成要素はこの付記に限定されるものではない。
【０１６５】
手段１に係る発明は、
予め定められた制御条件の成立に基づいて遊技者に有利な特別遊技状態に制御される遊技機（パチンコ遊技機１）であって、
励磁相の切り替えに同期して駆動力を発生させることが可能な駆動部（回転用モータ５１１）と、
前記駆動部の駆動力によって動作する演出可動体（装飾回転体５１０）と、
設定した時間間隔で前記励磁相を切り替える切替手段（演出制御用マイコン９１）と、を有し、
前記切替手段が、第１の間隔（２ｍｓｅｃ間隔）と前記第１の間隔よりも長い第２の間隔（３ｍｓｅｃ）とで前記励磁相を切り替えるものであることを特徴とする遊技機である。
【０１６６】
この構成の遊技機によれば、第１の間隔での励磁相の切り替えと、第２の間隔での励磁相の切り替えとを組み合わせることで、一定周期のみでの励磁相の切り替えでは不可能な速度で、演出可動体を動作させることが可能となる。すなわち、演出可動体の動作速度を微調整することが可能であることで、演出可動体によって興趣性の高い演出を行うことが可能な遊技機が提供されている。
【０１６７】
手段２に係る発明は、
手段１に記載の遊技機であって、
前記切替手段が、前記駆動部の予め定められた第１の駆動期間（回転演出）中、前記第１の間隔と前記第２の間隔との交互の間隔で前記励磁相を切り替える（ステップS4303からS4308まで）ものであることを特徴とする遊技機。
【０１６８】
この構成の遊技機によれば、第１の間隔と第２の間隔との交互の間隔で励磁相を切り替えることで、第１の間隔の一定周期で励磁相を切り替えた場合と、第２の間隔の一定周期で励磁相を切り替えた場合との間の速度で、第１の駆動期間の間、演出可動体を連続して動作させることが可能となる。これにより、興趣性の高い演出を行うことが可能となる。
【０１６９】
手段３に係る発明は、
手段２に記載の遊技機において、
前記駆動部の予め定められた第２の駆動期間中、前記第１の間隔および前記第２の間隔のいずれか一方の一定周期で前記励磁相を切り替える一定切替手段を有することを特徴とする遊技機。
【０１７０】
この構成の遊技機によれば、第１の駆動期間と第２の駆動期間とにおける演出可動体の動作速度の速度差を、一定周期で励磁相を切り替えた場合には不可能なほど小さくすることが可能である。これにより、演出可動体を、第１の駆動期間では、第２の駆動期間よりも、従来では不可能であった程度だけわずかに速いまたはわずかに遅い速度で動作させることが可能である。よって、演出効果を高めることが可能である。
【０１７１】
手段４に係る発明は、
手段２に記載の遊技機において、
前記駆動部の予め定められた第２の駆動期間中、前記第１の間隔の一定周期で前記励磁相を切り替える第１の一定切替手段と、
前記駆動部の予め定められた第３の駆動期間中、前記第２の間隔の一定周期で前記励磁相を切り替える第２の一定切替手段とを有することを特徴とする遊技機。
【０１７２】
この構成の遊技機によれば、第１の駆動期間と第２の駆動期間とにおける演出可動体の動作速度の速度差、および、第１の駆動期間と第３の駆動期間とにおける演出可動体の動作速度の速度差を、第２の駆動期間と第３の駆動期間とにおける演出可動体の動作速度の速度差よりも小さくすることが可能である。つまり、演出可動体を、第１の駆動期間では、従来では不可能であった、第２の駆動期間の動作速度と第３の駆動期間の動作速度との間の動作速度で動作させることが可能である。よって、演出効果を高めることが可能である。
【０１７３】
手段５に係る発明は、
手段２から手段４までのいずれかに記載の遊技機であって、
前記第１の間隔が、前記第１の駆動期間中に前記駆動部が前記励磁相の切り替えに同期して駆動されないことがある最長の前記励磁相の切り替えの周期である非同期周期以下の時間であり、
前記第２の間隔が、前記非同期周期よりも長い時間であることを特徴とする遊技機。
【０１７４】
この構成の遊技機によれば、その一定周期で励磁相を切り替えた場合には脱調のおそれのある第１の間隔を用いているにも関わらず、脱調による同期不良を抑制することができる。
【０１７５】
手段６に係る発明は、
手段１から手段５までのいずれかに記載の遊技機であって、
前記切替手段が、
予め定められた周期である設定周期ごとに前記励磁相を切り替えるか否かを判定（１ｍｓｅｃ周期で実行される駆動制御処理(S4203)）するとともに、
前記第２の間隔を、その前記設定周期に対する比が、前記第１の間隔の前記設定周期に対する比に１を加えた比となる間隔とするものであることを特徴とする遊技機。
【０１７６】
この構成の遊技機によれば、第１の間隔と第２の間隔との差を最も小さく設定しているため、第１の間隔と第１の間隔とは異なる第２の間隔とで励磁相の切り替えを行っているにも関わらず、演出可動部を滑らかに動作させることが可能である。よって、遊技者に、演出可動体が一定の自然な速度で動作しているように視認させることが可能である。
【０１７７】
手段７に係る発明は、
手段１から手段５までのいずれかに記載の遊技機であって、
前記切替手段が、
予め定められた周期である設定周期ごとに前記励磁相を切り替えるか否かを判定（１ｍｓｅｃ周期で実行される駆動制御処理(S4203)）するとともに、
前記第２の間隔を、その前記設定周期に対する比が、前記第１の間隔の前記設定周期に対する比に２以上の整数を加えた比となる間隔とするものであることを特徴とする遊技機。
【０１７８】
この構成の遊技機によれば、第１の間隔と第２の間隔との差が大きくなるように設定しているため、演出可動体に、一定周期で励磁相を切り替えたときには不可能な、カクカクとしたぎこちない動作を行わせることが可能である。よって、演出効果を高めることが可能である。
【０１７９】
手段８に係る発明は、
手段１に記載の遊技機であって、
前記切替手段が、前記駆動部の予め定められた第１の駆動期間（回転演出）中、予め定められた周期である設定周期ごとに前記励磁相を切り替えるか否かを判定（１ｍｓｅｃ周期で実行される駆動制御処理(S4203)）するとともに、前記第１の間隔と前記第２の間隔との交互の間隔で前記励磁相を切り替える（ステップS4303からS4308まで）ものであることを特徴とする遊技機。
【０１８０】
この構成の遊技機によれば、第１の駆動期間の間、第１の間隔と第２の間隔との交互の間隔で励磁相を切り替える。このため、第１の駆動期間の間、第１の間隔の一定周期で励磁相を切り替えた場合と、第２の間隔の一定周期で励磁相を切り替えた場合との間の速度で、演出可動体を連続して動作させることが可能となる。これにより、興趣性の高い演出を行うことが可能となる。
【符号の説明】
【０１８１】
１…パチンコ遊技機
７ａ…表示画面
１５…装飾可動部
５００…鉛直移動部
５０１…鉛直移動用モータ
５１０…装飾回転体（演出可動部）
５１１…回転用モータ（駆動部）
９０…サブ制御基板
９１…演出制御用マイコン（切替手段）
９９…サブ制御部
１０７…サブ駆動基板
【図１】
2018057477.tif 000003
【図２】
2018057477.tif 000004
【図３】
2018057477.tif 000005
【図４】
2018057477.tif 000006
【図５】
2018057477.tif 000007
【図６】
2018057477.tif 000008
【図７】
2018057477.tif 000009
【図８】
2018057477.tif 000010
【図９】
2018057477.tif 000011
【図１０】
2018057477.tif 000012
【図１１】
2018057477.tif 000013
【図１２】
2018057477.tif 000014
【図１３】
2018057477.tif 000015
【図１４】
2018057477.tif 000016
【図１５】
2018057477.tif 000017
【図１６】
2018057477.tif 000018
【図１７】
2018057477.tif 000019
【図１８】
2018057477.tif 000020
【図１９】
2018057477.tif 000021
【図２０】
2018057477.tif 000022
【図２１】
2018057477.tif 000023
【図２２】
2018057477.tif 000024
【図２３】
2018057477.tif 000025
【図２４】
2018057477.tif 000026
【図２５】
2018057477.tif 000027